(57)【要約】【課題】梱包が容易で、かつ構成部材の損傷を防止できる遊技機を提供する。【解決手段】遊技機は、天板２と背板３と底板４と２つの側板５，６とを備え、箱形に形成された遊技機筐体１と、複数のネジ５０と、を備える遊技機であって、天板２、背板３または側板５，６に取り付けられる全てのネジ５０が、遊技機筐体１よりも外側に突出していないので、梱包が容易で、かつ構成部材の損傷を防止できる。【選択図】図３
2020137795.tif 000002
【特許請求の範囲】
【請求項１】
天板と背板と底板と２つの側板とを備え、箱形に形成された遊技機筐体と、
複数のネジと、を備える遊技機であって、
前記天板、前記背板または前記側板に取り付けられる全ての前記ネジが、前記遊技機筐体よりも外側に突出していないことを特徴とする遊技機。
【請求項２】
天板と背板と底板と２つの側板とを備え、箱形に形成された遊技機筐体と、
複数のネジと、を備える遊技機であって、
前記天板、前記底板または前記側板のうちの少なくとも１つの後側の端面が、前記背板の外側の板面よりも後方に突出しており、
前記天板、前記背板または前記側板に取り付けられる全ての前記ネジが、前記背板の外側の板面よりも後方に突出した前記端面、前記天板の外側の板面および前記側板の外側の板面よりも外側に突出していないことを特徴とする遊技機。
【発明の詳細な説明】
【技術分野】
【０００１】
本発明は、遊技機に関する。
【背景技術】
【０００２】
従来から遊技機として、スロットマシンやパチンコ遊技機等が知られている。遊技機は、運搬の際には梱包用の箱等に入れて運ばれる。
【０００３】
遊技機においては、前面側に装飾用（演出用）の装飾部材が設けられたりするが、近年では大型の装飾部材を使用した遊技機も多い。そこで、こうした大型の装飾部材を有する遊技機について、梱包を容易にするための提案がされている（特許文献１参照）。
【０００４】
また、遊技機は、前面側が開口した筐体（遊技機筐体）を有し、この筐体内に各種の部品が収容される。また、筐体には筐体に対して部品を取り付けるためのネジが取り付けられたりする。
【先行技術文献】
【特許文献】
【０００５】
【特許文献１】特開２０１７−２０５１７０号公報
【発明の概要】
【発明が解決しようとする課題】
【０００６】
ところで、従来の遊技機においては、筐体に取り付けられるネジが一部、筐体よりも外側に突出してしまっていた。しかし、ネジは、遊技機の前面側に設けられた装飾部材に比べると、遊技機の外形に目立った凹凸を形成するものではないため、ネジの筐体からの突出についてはこれまで特段着目されていなかった。しかし、ネジが筐体よりも外側に突出してしまっていることにより、梱包作業の際等に、当該突出部分が引っ掛かったりすることで、梱包がしにくいという問題があった。また、当該突出部分が引っ掛かったりすることで、ネジや筐体のネジが取り付けられる部分等が損傷してしまうという問題があった。
【０００７】
本発明は、前記事情に鑑みてなされたもので、梱包が容易で、かつ構成部材の損傷を防止できる遊技機を提供することを目的とする。
【課題を解決するための手段】
【０００８】
前記目的を達成するために、本発明の遊技機は、天板と背板と底板と２つの側板とを備え、箱形に形成された遊技機筐体と、
複数のネジと、を備える遊技機であって、
前記天板、前記背板または前記側板に取り付けられる全ての前記ネジが、前記遊技機筐体よりも外側に突出していないことを特徴とする。
【０００９】
このような構成によれば、遊技機筐体に取り付けられるネジが、遊技機筐体よりも外側に突出していないので、遊技機を梱包する際等に、ネジが引っ掛かったりして梱包がしにくいといったことや、ネジあるいはネジが取り付けられる部分が損傷してしまったりすることを防止できる。
【００１０】
また、本発明の遊技機は、天板と背板と底板と２つの側板とを備え、箱形に形成された遊技機筐体と、
複数のネジと、を備える遊技機であって、
前記天板、前記底板または前記側板のうちの少なくとも１つの後側の端面が、前記背板の外側の板面よりも後方に突出しており、
前記天板、前記背板または前記側板に取り付けられる全ての前記ネジが、前記背板の外側の板面よりも後方に突出した前記端面、前記天板の外側の板面および前記側板の外側の板面よりも外側に突出していないことを特徴とする。
【００１１】
このような構成によれば、遊技機筐体に取り付けられるネジが、遊技機筐体よりも外側に突出していないので、遊技機を梱包する際等に、ネジが引っ掛かったりして梱包がしにくいといったことや、ネジあるいはネジが取り付けられる部分が損傷してしまったりすることを防止できる。遊技機筐体の背面側においては、天板、底板または側板のうちの少なくとも１つの後側の端面が、背板の外側の板面よりも後方に突出しているので、ネジが、当該突出した端面よりも内側に位置していれば、ネジが梱包の際等に引っ掛かったりすることを防止できる。
【発明の効果】
【００１２】
本発明の遊技機によれば、梱包が容易で、かつ構成部材の損傷を防止できる。
【図面の簡単な説明】
【００１３】
【図１】本発明の実施の形態に係る遊技機の一例を示すもので、その斜視図である。
【図２】同、遊技機筐体内部を示すもので、前方右側から見た斜視図である。
【図３】同、遊技機筐体外面を示すもので、後方左側から見た斜視図である。
【図４】同、ネジの遊技機筐体への取り付けについて説明するためのもので、（ａ）はネジとナットの分解斜視図、（ｂ）はネジの遊技機筐体への取り付け状態を示す斜視図である。
【図５】同、把手の遊技機筐体への取り付け状態を示すもので、正面側から見た断面図である。
【図６】同、把手を示すもので、その斜視図である。
【図７】同、電源ユニットを示すもので、（ａ）は前方右側から見た斜視図、（ｂ）は後方左側から見た斜視図である。
【図８】同、電源ユニットの遊技機筐体への取り付け状態を示すもので、右側から見た断面図である。
【図９】同、メダル補給穴カバーの遊技機筐体への取り付けについて説明するためのもので、（ａ）は取り付け前の状態を示す斜視図、（ｂ）は取り付け状態を示す斜視図である。
【図１０】同、遊技機筐体の他の例を示すもので、後方左側から見た斜視図である。
【図１１】同、ＬＥＤ基板の識別符号について説明するための図である。
【図１２】同、スタートレバーユニットの断面図である。
【図１３】同、スタートレバーを下方に傾動させた状態におけるスタートレバーユニットの断面図である。
【図１４】同、スタートレバーの操作の検出について説明するための断面図である。
【図１５】同、スタートレバーの動作の特性について説明するための断面図である。
【図１６】同、スタートレバーの動作の特性について説明するための断面図である。
【図１７】同、操作部の傾動距離および傾動角度を示す図である。
【図１８】同、ＭＡＸベットボタンの断面図である。
【図１９】同、ストップボタンの断面図である。
【図２０】同、スタートレバー、ＭＡＸベットボタン、およびストップボタンの操作荷重を示す図である。
【図２１】同、メダル投入ユニットを示すもので、左前側から分解斜視図である。
【図２２】同、メダル投入部を示すもので、下側後方から見た斜視図である。
【図２３】同、レール後部材とセンサユニットとを示すもので、前側から見た斜視図である。
【図２４】同、レール後部材とセンサユニットとを示すもので、後側から見た斜視図である。
【図２５】同、レール前部材を示すもので、後側から見た斜視図である。
【図２６】同、メダル投入部とレール後部材とレール前部材とセンサユニットとを示すもので、下側前方から見た斜視図である。
【図２７】同、レール後部材とレール前部材とセレクタとを示すもので、後側から見た斜視図である。
【図２８】同、大径メダルがメダル投入口に掛かった状態を説明するためのもので、前側から見た斜視図である。
【図２９】同、大径メダルがメダル投入口に掛かった状態を説明するためのもので、側方から見た断面斜視図である。
【発明を実施するための形態】
【００１４】
以下、本発明の実施の形態について図面を参照して説明する。
まず、遊技機の概略構成について説明する。なお、以下では遊技機の一つであるスロットマシンについて説明するが、本発明に係る遊技機は、スロットマシンに限ることなく、パチンコ遊技機等の遊技機であってもよい。
また、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００１５】
図１はスロットマシンＸを示す斜視図である。また、図２はスロットマシンＸの筐体１内部を示す斜視図である。このスロットマシンＸは、筐体（遊技機筐体）１を備えている。また、筐体１は、天板２、背板３、底板４および左右の側板５，６を備え、当該筐体１の前面側に開口する前面開口部を有する箱形に形成されている。また、背板３は、天板２、底板４および左右の側板５，６よりも板厚が薄くなっている。なお、本実施形態においては、筐体１は木製であるが、合成樹脂製や金属製等であってもよい。
なお、以下では、天板２の下面、背板３の前面、底板４の上面、左側の側板５の右面および右側の側板６の左面、すなわち天板２、背板３、底板４、側板５または側板６における筐体１の内側を向く板面を内面とも呼ぶこととする。また、天板２の上面、背板３の背面、底板４の下面、左側の側板５の左面および右側の側板６の右面、すなわち天板２、背板３、底板４、側板５または側板６における筐体１の外側を向く板面を外面とも呼ぶこととする。
【００１６】
底板４の上面には、各部品に電力を供給するための電源ユニット１０、メダルを貯留するとともにメダルを払い出す払い出し装置としてのホッパーユニット１１、ホッパーユニット１１に貯蔵されたメダルが一定量に達した際に余剰メダルが送り出されるキャッシュボックス１２等が設けられている。
【００１７】
また、筐体１内には、リールユニット１４や基板ユニット１６等が設けられている。リールユニット１４は、周囲に複数の図柄を表示した３個のリール１５ａ，１５ｂ，１５ｃと、リール１５ａ〜１５ｃを回転させるための駆動モータ（ステッピングモータ）と、これらリール１５ａ〜１５ｃおよび駆動モータ等が取り付けられこれらを一体的に支持するリールフレーム（フレーム部材）１３とを有している。また、基板ユニット１６は、ＣＰＵ、ＲＯＭ、ＲＡＭ、Ｉ／Ｏ等の電子部品を備えた電子回路基板を、基板ケース１８に収納したものである。基板ユニット１６の電子回路基板は主制御基板（主制御装置）であり、後述するベットボタン３５、スタートレバー９９０、ストップボタン３３（ストップボタン３３ａ，３３ｂ，３３ｃ）、メダルセンサ等の入力手段からの入力信号を受けて、遊技を実行するための各種の演算を行い、演算結果に基づいてリールユニット１４や、ホッパーユニット１１等の出力手段の制御を行う。なお、主制御基板から送られてくる信号を受けて、演出を実行するための各種の演算を行い、演算結果に基づいて液晶ディスプレイやスピーカ２７等の演出用の装置の制御を行う副制御基板（副制御装置）は、前扉２０の裏側に設けられている。
【００１８】
また、筐体１の正面側には、筐体１の前面開口部を開閉可能に閉塞する前扉２０が設けられている。具体的には、前扉２０は、筐体１にヒンジ２９を介して回動可能に連結されており、筐体１の開口部を開閉するようになっている。
なお、前扉２０は、上側部分と下側部分とで分かれている等、複数の扉に分かれているものであってもよい。また、スロットマシンＸは、遊技店における機種の交換時に筐体１、前扉２０の下側部分および筐体１内の電源ユニット１０やホッパーユニット１１等が遊技店の島設備に取り付けられたままで、前扉２０の上側部分およびリールユニット１４等が交換可能ないわゆる分離型筐体タイプのものであってもよい。
【００１９】
前扉２０の上部中央には、平板状のパネル２１が設けられている。また、パネル２１は、その中央部に形成された透明な表示窓２２と、表示窓２２を囲うように形成され、絵柄が描かれた（印刷された）意匠部２３とを備えている。
【００２０】
表示窓２２の奥には、３個のリール１５ａ〜１５ｃが横一列に設けられている。そして、表示窓２２を通してリール１５ａ〜１５ｃの一部が視認可能となっている。各リール１５ａ〜１５ｃの外周面には複数種類の図柄が配列されており、リール１５ａ〜１５ｃが停止すると表示窓２２を通して１リール当たり３個の図柄（上段図柄、中段図柄、下段図柄）が表示される。そして、３個の回転リールが停止したときに表示窓２２を通して表示される図柄の組み合わせによって当選役が入賞したか否かが表示される。また、意匠部２３の背面側には、照明用の光源（ＬＥＤ）が設けられており、この光源からの光によって意匠部２３に描かれた絵柄が背後から照らされるようになっている。
【００２１】
前扉２０のパネル２１の上部には、報知や演出などを行うための照明装置２４が設けられている。また、前扉２０の左右両端部には、報知や演出などを行うための照明装置２５，２５が設けられている。これらの照明装置２４，２５を含む、発光性または非発光性の立体的形状を有する装飾部材２６が前扉２０の所定部分に設けられることによって、遊技機の前面側の外形が凹凸したものとなっている。そして、これら装飾部材２６によって、遊技機が装飾されている。また、このような凹凸した装飾部材２６を備える前扉２０の側面は、左右方向において左右の側板５，６の外面よりも僅かに内側に位置している。また、このような凹凸した装飾部材２６を備える前扉２０の上面は、天板２の外面よりも僅かに内側（下側）に位置している。
【００２２】
また、前扉２０の上部および下部には複数のスピーカ２７が設けられている。スピーカ２７は、各種演出用の音（音楽、効果音、音声等）を出力する。なお、演出用の装置としては、照明装置２４やスピーカの他に、各種演出用の画像（動画、静止画）を表示する液晶ディスプレイや、アクチュエータ等で動作可能な可動役物などを設けても良い。
【００２３】
前扉２０の上下方向中央部には、スロットマシンＸを操作するための操作部３０が設けられている。操作部３０には、クレジットされたメダルを払い出すための精算スイッチ３１、遊技を開始させるためのスタートレバー９９０、３個のリール１５ａ〜１５ｃそれぞれの回転を停止させるための３個のストップボタン３３、メダル（遊技媒体）を投入するためのメダル投入口８２１、メダル投入口８２１の下方で発生したメダル詰まりを解消するリジェクトボタン、メダルをゲームに投資（ベット）するときに操作されるベットボタン３５等が設けられている。
【００２４】
また、前扉２０の下端部には、スロットマシン内部よりメダルを排出するためのメダル払い出し口と、メダル払い出し口から排出されたメダルを溜めておくためのメダル受け皿３８とが形成されている。また、操作部３０とメダル受け皿３８との間には遊技機の外観を装飾するための下パネル３９が設けられている。また、下パネル３９の背面側には、照明用の光源（ＬＥＤ）が設けられており、この光源からの光によって下パネル３９が背後から照らされるようになっている。
【００２５】
図２および図３に示すように、主制御基板を収納した基板ケース１８、リールユニット１４、電源ユニット１０、ホッパーユニット１１、前扉２０（ヒンジ２９）等は、ネジ５０（ネジ５０ａ，５０ｂ，５０ｃ，５０ｄ，５０ｅ：雄ネジ）によって筐体１に固定されている。具体的には、基板ケース１８は、背板３に対して複数のネジ５０ａによってネジ止めされている。また、リールユニット１４は、各リール１５ａ〜１５ｃが設けられるリールフレーム１３が背板３および左右の側板５，６に対して複数のネジ５０ｂによってネジ止めされることで筐体１に固定されている。また、電源ユニット１０は、背面を背板３の内面に当接または近接させ、左面を左側の側板５の内面に当接または近接させた状態で、背板３および左側の側板５に対して複数のネジ５０ｃによってネジ止めされている。また、ホッパーユニット１１は、底板４に対して複数のネジ５０ｄによってネジ止めされている。また、前扉２０を筐体１に連結するためのヒンジ２９は、左側の側板５に対して複数のネジ５０ｅによってネジ止めされている。また、この他にも、遊技機の状態を監視するホールコンピュータ等の外部機器に遊技機の状態を知らせる信号を送る外部集中端子板や、前述の入力装置または出力装置と主制御基板または副制御基板とを繋ぐ中継基板等の各種電子回路基板、筐体１の前扉２０側を補強するフレーム５２等の部品が、筐体１にネジ５０によってネジ止めされている。なお、フレーム５２には、筐体１の前面開口部を閉塞した前扉２０の係合部が係合する被係合部が設けられており、当該係合部が当該被係合部に係合することで前扉２０が筐体１の前面開口部を閉塞した状態で固定されるようになっている。
【００２６】
筐体１へのネジ５０の取り付けについて、１つのネジ５０を例にとって図４を参照しながら説明する。なお、他のネジ５０についても同様にして筐体１に取り付けられている。ネジ５０は、筐体１に設けられた複数の孔５５それぞれに挿入されている。また、筐体１の外面１ａには、孔５５に対応する位置にザグリ加工が施されて凹部５６が形成されている。すなわち、筐体１の外面１ａには、孔５５それぞれと同軸でかつ孔５５よりも径の大きい凹部５６が設けられている。ネジ５０は、ナット（雌ネジ）５８にねじ込まれており、これによりネジ５０によって固定される各部品が、筐体１に対して固定されている。すなわち、当該各部品は、ネジ５０とナット５８とによって構成される締結部材（固着部材）によって、筐体１に固定されている。ここで、本実施形態において筐体１に取り付けられるネジ（雄ネジ）５０ａ〜５０ｅは全て、その頭部が筐体１の内側（内面１ｂ側）に配置され、先端部（頭部とは逆側の端部）が筐体１の外側（外面１ａ側）を向いた状態で筐体１に取り付けられている。このように全てのネジ５０の頭部が筐体１の内側に配置されることで、ネジ５０の取付作業を筐体１の内側からまとめて行うことができ、取付作業の効率が上昇する。また、ナット（雌ネジ）５８は、凹部５６の内側に収まるように配置されている。そして、ネジ５０ａ〜５０ｅの頭部とナット５８とによって筐体１を挟んだ状態となっている。
【００２７】
本実施形態の遊技機においては、ナット５８として、爪付きナットを用いている。このように爪付きナットを用いることで、遊技機の製造コストを削減できる。また、孔５５周辺部等の損傷を抑えられるので、ネジ５０を一旦外して再度取り付けなおすこと等も容易となり、遊技機の再利用性を高めることができる。なお、ナット５８として、爪付きナット以外のナットを用いてもよい。また、ナット５８を用いず、孔５５に締結部材としてのネジ（雄ネジ）５０が直接螺合するような構成としてもよい。具体的には、木製の筐体１に対して締結部材としてのネジとして木ネジを用いて筐体１にねじ込むこととしてもよい。また、孔５５の内周面が雌ネジ状となっており、この雌ネジ状の内周面に対して締結部材としてのネジ５０が螺合する構成としてもよい。
【００２８】
天板２、背板３、底板４または側板５，６に取り付けられたネジ５０は全て、天板２、背板３、底板４または側板５，６の外面（筐体１の外面）よりも外側に突出していない状態となっている。具体的には、ネジ５０は、ネジ５０の頭部が筐体１の内側に配置されており、ネジ５０の先端（頭部とは逆側の端部）が筐体１の外面よりも１ｍｍ〜２ｍｍ程度凹んだ状態（内側に位置した状態）となっている。なお、ネジ５０の先端が筐体１の外面と面一となっていてもよい。また、複数のネジ５０のうちの一部または全部が、ネジ５０の頭部が筐体１の外側を向くように配置されていてもよい。また、この場合にネジ５０の頭部は、凹部５６の内側に収まるように配置されることが好ましい。すなわち、ネジ５０の頭部が筐体１の外側を向く場合であっても、ネジ５０の頭部の頂点が、筐体１の外面と面一あるいは当該外面よりも例えば、１ｍｍ〜２ｍｍ程度凹んだ状態（内側に位置した状態）となっていることが好ましい。また、天板２、背板３、底板４または側板５，６に取り付けられたナット５８は全て、天板２、背板３、底板４または側板５，６の外面よりも突出していない状態となっている。具体的には、ナット５８は、凹部５６の内側に配置されており、ナット５８の遊技機外側を向く面が筐体１の外面よりも１ｍｍ〜２ｍｍ凹んだ状態（内側に位置した状態）となっている。
【００２９】
次に、把手６０および把手６０が取り付けられる把手取付部６１について、図５および図６を参照しながら説明する。左右の側板５，６それぞれには、把手取付部６１が設けられており、この把手取付部６１それぞれに、把手６０が取り付けられている。遊技機を運ぶ者は、把手６０の内側に手を入れて遊技機を持ち上げることが可能となっている。把手取付部６１および把手６０の構成は、左右の側板５，６で同様であるため、ここでは右側の側板６について説明し、左側の側板５については説明を省略する。
【００３０】
把手６０は、把手本体部６５とフランジ部６６と係止部６７とを備え、合成樹脂により形成されている。また、把手本体部６５は、有底筒状となっている。また、把手本体部６５は、有底筒状の開口６５ａ側を構成し左右方向に延びる筒状の第１直線部６８と、有底筒状の底６５ｂ側を構成し第１直線部６８に対して上方に延びる筒状の第２直線部６９と、第１直線部６８と第２直線部６９とを繋ぐ筒状の屈曲部７０とを備えている。また、屈曲部７０は、その内面が、第１直線部６８側から第２直線部６９側に向かって滑らかに曲がる曲面となっている。
【００３１】
把手本体部６５の開口６５ａ側の端縁には、フランジ部６６が設けられている。また、係止部６７は、把手６０を筐体１に対して係止するための部分であり、把手本体部６５の下方に設けられている。また、把手本体部６５の外面であって、第１直線部６８と第２直線部６９との境目近傍には、第１直線部６８の上方に突出するようにして側板６の内面に当接または近接する当接面７１が形成されている。
【００３２】
把手６０は、把手本体部６５の開口６５ａ側を、側板６の外側（右側）に向けた状態で配置されている。そして、把手６０は、正面視における断面形状および外形が略Ｌ字状となっている。また、開口６５ａは、前後方向に長尺で上下方向に短尺な矩形状となっている。
【００３３】
把手６０は、有底筒状の把手本体部６５の中心軸を通る平面（上下方向および左右方向に延びる平面）で把手６０を分割したような形状の、第１部材７５と第２部材７６とによって形成されている。第１部材７５と第２部材７６とには、例えば爪状等の係止部７７と、この係止部７７が係止される例えば孔状等の被係止部７８とが、それぞれに複数ずつ設けられており、各係止部７７が対応する各被係止部７８に係止されることで一体化されている。なお、把手６０は、第１部材７５と第２部材７６とに分かれておらず、合成樹脂等により一体的に成形されていてもよい。
【００３４】
把手取付部６１は、側板６の上下方向中心よりもやや下方であって前後方向中心よりもやや後方に穿設された把手孔６２と、フランジ嵌挿用凹部６３とを備えている。フランジ嵌挿用凹部６３は、側板６の外面に形成された凹部である。フランジ嵌挿用凹部６３は、把手孔６２における側板６外面側の周縁を囲うようにして形成されている。換言すると、フランジ嵌挿用凹部６３の底面を、外周部を残して貫通させるようにして把手孔６２が形成されている。また、把手孔６２の内周面形状は、把手６０の第１直線部６８の外周面形状と略一致している。また、把手孔６２の内周は、フランジ部６６の外周よりも小さくなっている。また、フランジ嵌挿用凹部６３の内周面形状は、フランジ部６６の外周面形状と略一致している。また、フランジ嵌挿用凹部６３の左右方向の長さ（側板６の外面からの凹み量）は、フランジ部６６の左右方向の長さ（厚み）よりも１ｍｍ〜２ｍｍ程度長くなっている。
【００３５】
ここで、把手取付部６１への把手６０の取り付けについて説明する。把手６０は、把手本体部６５の底６５ｂ側から把手孔６２に挿入され、フランジ部６６の裏面（側板６側を向く面）がフランジ嵌挿用凹部６３の底面に当接するまで挿入される。フランジ部６６の裏面がフランジ嵌挿用凹部６３の底面に当接すると、把手６０の左方への移動が規制され、把手６０がそれ以上側板６に挿入されることが防止される。把手６０が把手孔６２に挿入されていく際には、係止部６７が、把手６０の上下方向の長さが短くなる方向に弾性変形し、当該挿入が阻害されないようになっているが、フランジ部６６の裏面がフランジ嵌挿用凹部６３の底面に当接するまで把手６０が挿入されると、弾性変形した係止部６７が元に戻り、係止部６７が側板６の内面に掛かるようになっている。また、フランジ部６６の裏面がフランジ嵌挿用凹部６３の底面に当接した状態において、把手６０の当接面７１は、側板６の内面に当接または近接した状態となっている。すなわち、把手６０は、把手取付部６１に取り付けられた状態では、フランジ部６６と係止部６７および当接面７１とによって側板６を挟み込んだ状態となっており、これにより把手６０の抜け落ち（左右方向への移動）が防止されている。また、把手６０は、把手取付部６１に取り付けられた状態において、第１直線部６８が、把手孔６２の内周面に当接または近接しており、把手６０の上下方向および前後方向への移動が規制されている。また、把手６０が把手取付部６１に取り付けられた状態において、フランジ部６６の表面（右側（側板６の外側）を向く面）は、側板６（筐体１）の外面よりも１ｍｍ〜２ｍｍ程度凹んだ状態（内側に位置した状態）となっている。なお、フランジ部６６の表面が側板６（筐体１）の外面と面一となっていてもよい。
【００３６】
次に、筐体１の内部に設けられた電源ユニット１０について説明する。電源ユニット１０は、図７に示すように、電源筐体９０と、電源筐体９０の内部に収納された電源装置（図示せず）と、電源装置のＯＮ／ＯＦＦを切り替えるための電源スイッチ９２と、コネクタ９４と、電源筐体９０の前面を覆う前面カバー９５とを備えている。また、前面カバー９５には、前面カバー９５から露出する電源スイッチ９２を覆う、開閉可能な電源スイッチカバー９５ａが設けられている。
【００３７】
コネクタ９４には、商用電源（ＡＣ１００Ｖ）を供給するコンセントに接続される電源ケーブル（図示せず）が接続される。具体的には、電源ケーブルの一端部に設けられたコネクタがコネクタ９４に接続され、電源ケーブルの他端部に設けられたプラグがコンセントに接続される。電源装置は、遊技機の外部から電源ケーブルを介して送られる電力から直流電源（例えば、５Ｖ、１２Ｖ、２４Ｖ等）を作り、遊技機の各部品に電力を供給する。
【００３８】
電源筐体９０は、略直方体の箱状となっている。また、電源筐体９０には、電源筐体９０の左面に連続して設けられ、当該左面の前縁上方部から前方に突出する板状部９６が設けられている。また、板状部９６の左面は、電源筐体９０の左面と面一となっている。また、板状部９６には、前述のネジ５０ｃが挿通されるネジ挿通孔９６ａ，９６ａが設けられている。また、電源筐体９０は、電源筐体９０の右面に連続して設けられ、当該右面の後縁下方部から右方に突出する板状部９７が設けられている。すなわち、板状部９６と板状部９７とは、電源筐体９０の互いに対角となる位置に設けられている。また、板状部９７の背面は、電源筐体９０の背面よりも後方に位置しており、電源筐体９０の背面と平行となっている。また、板状部９７には、前述のネジ５０ｃが挿通されるネジ挿通孔９７ａが設けられている。また、電源筐体９０は、背面の上縁および右縁上部を後方に突出させるようにして形成された突出部９８，９８を有している。また、突出部９８，９８の後端は、板状部９７の背面と面一となっている。
【００３９】
電源スイッチ９２は、電源筐体９０の前面側に設けられている。電源スイッチ９２がＯＮ状態にされると、電源装置が遊技機の各部品への電力供給を行い、電源スイッチ９２がＯＦＦ状態にされると、電源装置が遊技機の各部品への電力供給をストップするようになっている。なお、電源スイッチ９２がＯＦＦ状態でも電源装置が一部の部品に電力を供給するようになっていてもよい。
【００４０】
コネクタ９４は、電源筐体９０の背面の中心よりも下方に、当該背面から後方に突出して設けられている。また、コネクタ９４は、オスコネクタとなっており、３つのピン１００と、３つのピン１００を囲う壁部１０１とを備えている。また、３つのピン１００および壁部１０１が電源筐体９０の背面から後方に突出しているが、壁部１０１の方が３つのピン１００よりも当該背面からの突出量が大きくなっている。また、３つのピン１００および壁部１０１の、電源筐体９０背面からの突出量は、板状部９７および突出部９８，９８の、電源筐体９０背面からの突出量よりも大きくなっている。
【００４１】
筐体１の背板３には、図８に示すように、電源ユニット１０のコネクタ９４を後方に露出させるための開口１０５が設けられている。すなわち、コネクタ９４は、背面視において遊技機の外側から見えるようになっており、電源ケーブルのコネクタを電源ユニット１０のコネクタ９４に差し込む際に、後方から真っ直ぐ差せるようになっている。また、開口１０５の開口断面は、コネクタ９４の背面視における外形よりも大きくなっている。
【００４２】
電源ユニット１０は、板状部９６のネジ挿通孔９６ａ，９６ａそれぞれに挿通されたネジ５０ｃが、筐体１の側板５に固定され、板状部９７のネジ挿通孔９７ａに挿通されたネジ５０ｃが、筐体１の背板３に固定されることで、筐体１に固定されている。また、電源筐体９０の左面および板状部９６の左面は、筐体１の側板５に当接または近接している。また、突出部９８，９８の後端および板状部９７の背面は、筐体１の背板３に当接または近接しており、電源筐体９０の背面と筐体１の背板３との間には隙間が形成されている。また、電源筐体９０の背面には、電源ユニット１０の各部品を互いに固定するためのネジ９９が、その頭部を電源筐体９０の背面から後方に突出させた状態で取り付けられているが、当該頭部が、電源筐体９０の背面と筐体１の背板３との間の隙間に収まるようになっている。
【００４３】
また、コネクタ９４は、後側の端部が、開口１０５部分の内側（開口１０５に囲われた領域）に入り込んだ状態となっている。換言すると、コネクタ９４の後端は、背板３の内面（筐体１の内面）よりも、後方に位置している。また、コネクタ９４の後端は、背板３の外面（筐体１の外面）よりも１ｍｍ〜２ｍｍ程度凹んだ状態（前方（内側）に位置した状態）となっている。なお、コネクタ９４の後端が、背板３の外面と面一となっていてもよい。
【００４４】
次に、メダル補給穴１１０およびメダル補給穴１１０を塞ぐメダル補給穴カバー１１２について、図９を参照しながら説明する。筐体１の背板３には、メダル補給穴１１０とメダル補給穴カバー１１２とが設けられている。メダル補給穴１１０は、店舗等において、スロットマシンＸの後側からメダルを補給可能とする穴であり、このメダル補給穴１１０を介してホッパーユニット１１にメダルを補給可能になっている。また、メダル補給穴カバー１１２は、メダル補給穴１１０を使用しない場合（メダル補給穴１１０を介したメダルの補給を行わない場合）に、メダル補給穴１１０を塞いでおくためのカバーである。
【００４５】
背板３には、メダル補給穴１１０の左側に、孔（カバー取付孔）１２０が設けられている。また、背板３の外面には、孔１２０に対応する位置にザグリ加工が施されて凹部１２２が形成されている。すなわち、背板３の外面には、孔１２０と同軸でかつ孔１２０よりも径の大きい凹部１２２が設けられている。また、背板３には、メダル補給穴１１０の右縁に隣接する部分を一部切り欠くようにして、凹部（係止用凹部）１２４が形成されている。
【００４６】
メダル補給穴カバー１１２は、略矩形板状となっている。また、メダル補給穴カバー１１２の背面左側には、後方に突出する係止用突出部１２６が設けられている。係止用突出部１２６は、略円筒状であり、突出方向先端部に、係止用の爪１２６ａが形成されている。係止用突出部１２６は、孔１２０に挿入されるようになっており、挿入される際には爪１２６ａ部分が縮径して孔１２０に挿入されるととともに、挿入されると縮径されていた爪１２６ａ部分が元に戻り孔１２０の縁に係止されるようになっている。また、メダル補給穴カバー１１２の背面右側には、後方に突出する係止片１２８が設けられている。係止片１２８は、凹部１２４に適合する形状となっている。また、係止片１２８のメダル補給穴カバー１１２背面からの突出量は、係止用突出部１２６のメダル補給穴カバー１１２背面からの突出量よりも小さくなっている。また、メダル補給穴カバー１１２の右側上部には、指を差し入れ可能な穴１２９が設けられており、メダル補給穴カバー１１２の取り付け、取り外しの際に、作業者が穴１２９に指を挿入してメダル補給穴カバー１１２を持ったりメダル補給穴カバー１１２を下方に押し下げたりすることができるようになっている。
【００４７】
メダル補給穴カバー１１２は、筐体１の内側から取り付けられ、メダル補給穴１１０を内側から覆って塞ぐようになっている。また、メダル補給穴カバー１１２は、係止用突出部１２６が孔１２０に挿入され孔１２０の縁に係止されるとともに、係止片１２８が凹部１２４に係止された状態で、背板３に取り付けられるようになっている。このとき、メダル補給穴カバー１１２は、係止用突出部１２６が孔１２０の縁に係止されることで、背板３からの逸脱が防止されているとともに、係止用突出部１２６が孔１２０に挿入され、係止片１２８が凹部１２４に係止されることで、背板３に対する位置決めがされている。
【００４８】
メダル補給穴カバー１１２の背面は、背板３の内面に当接した状態となっている。また、係止用突出部１２６の後端は、背板３の外面よりも突出していない状態となっている。具体的には、係止用突出部１２６の爪１２６ａは、凹部１２２の内側に配置されており、係止用突出部１２６の後端が、背板３の外面よりも１ｍｍ〜２ｍｍ程度凹んだ状態（内側に位置した状態）となっている。すなわち、メダル補給穴カバー１１２は、筐体１の外面よりも外側に突出した部分を有しないように形成され、取り付けられている。なお、係止用突出部１２６の後端等、メダル補給穴カバー１１２の一部が、筐体１の外面と面一となっていてもよい。
【００４９】
本実施形態の遊技機によれば、天板２と背板３と底板４と２つの側板５，６とを備え、箱形に形成された遊技機筐体１と、遊技機筐体１に取り付けられる把手６０および複数のネジ５０と、電源ケーブルが接続されるコネクタ９４を有し、遊技機筐体１に収容され、所定の部品に電力を供給する電源ユニット１０と、を備え、把手６０と、コネクタ９４と、天板２、背板３または側板５，６に取り付けられる全てのネジ５０とが、遊技機筐体１よりも外側に突出していないので、遊技機を梱包する際等に、把手６０、コネクタ９４またはネジ５０が引っ掛かったりして梱包がしにくいといったことや、把手６０、コネクタ９４またはネジ５０等が損傷してしまったりすることを防止できる。また、コネクタ９４の少なくとも一部が遊技機筐体１の内面よりも外側に突出しているので、遊技機筐体１の外部からコネクタ９４へ電源ケーブルを接続する作業が容易となる。また、このようにコネクタ９４、すなわち電源ユニット１０の一部を遊技機筐体１の内面よりも外側に突出させて配置することで、電源ユニット１０を筐体１の左奥に寄せて配置することが可能となり、電源ユニット１０に対する不正な操作を防止することができる。
【００５０】
なお、基板ユニット１６または電源ユニット１０が、遊技に係る抽選に関する設定を変更する際に操作される設定変更ボタン（ボタンスイッチ）と設定変更キースイッチとを備えていてもよい。特に電源ユニット１０が設定変更ボタンや設定変更キースイッチを備えている場合には、電源ユニット１０を筐体１の左奥に寄せて配置することによる不正に設定が変更されることへの防止効果が高くなるが、仮に基板ユニット１６が設定変更ボタンや設定変更キースイッチを備えている場合であっても、基本的には設定変更の際には電源スイッチ９２も併せて操作されるため、この場合でも電源ユニット１０を筐体１の左奥に寄せて配置することで不正な設定変更操作の防止につながる。
【００５１】
なお、把手６０と、コネクタ９４と、天板２、背板３または側板５，６に取り付けられるネジ５０とは、その外側の端が、筐体１の外面（天板２、背板３または側板５，６の外面）よりも１ｍｍ〜２ｍｍ程度内側に位置するように配置されていてもよい。このように構成することで、各部材の製造上の誤差や、筐体１への取り付け誤差等が生じた場合（公差最大までずれた場合であっても）であっても、把手６０やコネクタ９４やネジ５０が筐体１の外側に突出することを防止できる。なお、全ての把手６０、コネクタ９４およびネジ５０の全てが筐体１の外面よりも１ｍｍ〜２ｍｍ程度内側に位置するように配置する必要はなく、特に誤差の生じやすい部材のみ、１ｍｍ〜２ｍｍ程度内側に位置するように配置されていればよい。
【００５２】
また、コネクタ９４に接続される電源ケーブルのコネクタは、Ｌ型のコネクタとしてもよい。すなわち、電源ケーブルのコネクタは、コネクタ９４に接続された状態において、電源ケーブルが例えば左右方向に延びる形状としてもよい。このような構成によれば、コネクタ９４が、背板３の外面に近い位置に配置されている本実施形態の遊技機のような構成であっても、電源ケーブルのコネクタ部分において電源ケーブルに負荷がかかることを防止でき（例えば、電源ケーブルのコネクタ部分とケーブル部分との接続箇所が遊技機の後方の壁等に押し付けられ、当該接続箇所に負荷がかかることを防止でき）、当該コネクタ部分において電源ケーブルが断線してしまうことを防止できる。なお、電源ケーブルのコネクタをＬ型コネクタとする場合において、当該Ｌ型コネクタは、その一部が筐体１の外面よりも外側に突出するようになっていてもよく、突出しないようになっていてもよい。
【００５３】
また、本実施形態の遊技機においては、コネクタ９４の後端が背板３の前面よりも後方に位置するものとしたが、電源ユニット１０のその他の部分の後端が背板３の前面よりも後方に位置することとしてもよい。例えば、電源筐体９０の後端が、背板３の前面よりも後方に位置していてもよい。また、電源筐体９０の背面に、電源ユニット１０で発生する熱を放熱するためのヒートシンクが設けられ、このヒートシンクが背板３の前面よりも後方に位置することとしてもよい。またこれらの場合に、コネクタ９４は、その後端が背板３の前面よりも前方に位置していてもよく、後方に位置していてもよい。すなわち、電源ユニット１０は、少なくともその一部が、開口１０５（開口に囲われた領域）の内側に位置し、当該一部が背板３の前面よりも後方に突出するようになっているとよい。このような構成によれば、電源ユニット１０をできるだけ後方、さらに述べると左奥に配置することができ、不正な操作が行われる可能性を低減することができる。また、電源筐体９０または前記ヒートシンクの少なくとも一部が背板３の前面よりも後方に突出するように、開口１０５の内側に入り込ませて配置することで、電源ユニット１０の放熱性を高めることができる。なお、開口１０５の大きさは、この開口１０５の内側に配置される部材の大きさに応じて適宜設定すればよく、また複数の開口１０５が設けられていてもよい。また、本実施形態の遊技機においては、筐体１の内面と電源筐体９０の突出部９８，９８および板状部９７が当接または近接するようになっているが、例えば、筐体１の背板３の内面と電源筐体９０の背面とが当接していていもよい。また、電源筐体９０（電源ユニット１０）は、筐体１の背板３および／または側板５，６に当接していなくてもよいが、コネクタ９４ができる限り開口１０５に近づくとともに、できる限り遊技者等から遠ざかる位置に電源ユニット１０が配置（本実施形態の遊技機においては、電源ユニット１０が、できる限り後方に配置され、筐体１の背板３に近接又は当接するように配置）されることが望ましい。コネクタ９４をできるだけ開口１０５に近づけることで、たとえコネクタ９４の一部が筐体１の内面よりも外側に突出していなくても、電源ケーブルの接続をある程度容易にすることができる。
【００５４】
また、スロットマシンＸは、メダル補給穴カバー１１２を備えていなくてもよいが、備えている場合には、メダル補給穴カバー１１２は、前述のように筐体１の外面よりも外側に突出した部分を有しないように形成され、取り付けられることが好ましい。すなわち、筐体１の外面（天板２、背板３、底板４、側板５または側板６の外面）よりも突出する部材が（電源ケーブルを除いて）存在しないように遊技機が構成されることが好ましい。
【００５５】
次に、筐体１の変形例である筐体１４１について図１０を参照しながら説明する。筐体１４１は、筐体１と同様に、天板１４２、背板１４３、底板１４４および左右の側板１４５，１４６を備え、当該筐体１４１の前面側に開口する前面開口部を有する箱形に形成されている。また、天板１４２、底板１４４および左右の側板１４５，１４６の後端面１４２ａ，１４４ａ，１４５ａ，１４６ａは、背板１４３の外側の板面１４３ａよりも後方に突出している。また、天板１４２、底板１４４および左右の側板１４５，１４６の後端面１４２ａ，１４４ａ，１４５ａ，１４６ａは、互いに面一となっている。なお、これらの後端面１４２ａ，１４４ａ，１４５ａ，１４６ａは、互いに完全に面一でなくてもよく、略面一となっていてもよい。
【００５６】
このような筐体１４１を備える遊技機においては、ネジ５０もしくはメダル補給穴カバー１１２等の背板１４３に取り付けられる部材、または電源ユニット１０（コネクタ９４）等の少なくとも一部が背板１４３の前面よりも後方に突出する部材は、天板１４２、底板１４４および左右の側板１４５，１４６の後端面１４２ａ，１４４ａ，１４５ａ，１４６ａを通る仮想平面よりも突出していなければよい。すなわち、ネジ５０、メダル補給穴カバー１１２または電源ユニット１０（コネクタ９４）等の一部が、背板１４３の外面１４３ａよりも外側に突出していても、天板１４２、底板１４４および左右の側板１４５，１４６に囲われた領域内に収まっていればよい。具体的には、例えば、頭部が外側に位置するように取り付けられたネジ５０の頭部や、ナット５８等が、背板１４３の外面１４３ａよりも外側に突出していてもよい。このような構成によれば、天板１４２、底板１４４および左右の側板１４５，１４６の後端面１４２ａ，１４４ａ，１４５ａ，１４６ａによって、梱包材としての段ボール箱等が背板１４３の外面１４３ａに向かってくるのを防ぐことができるので、ネジ５０、メダル補給穴カバー１１２または電源ユニット１０（コネクタ９４）等が前記仮想平面よりも後方に突出していなければ、ネジ５０、メダル補給穴カバー１１２または電源ユニット１０（コネクタ９４）等に梱包材等が引っ掛かったりすることを防止できる。なお、天板１４２、底板１４４および左右の側板１４５，１４６の後端面１４２ａ，１４４ａ，１４５ａ，１４６ａは、互いに面一となっていなくてもよい。また、天板１４２、底板１４４または左右の側板１４５，１４６のうち、後端面１４２ａ，１４４ａ，１４５ａ，１４６ａが背板１４３の外面１４３ａよりも後方に突出していないものがあってもよい。天板１４２、底板１４４または左右の側板１４５，１４６のうち、少なくとも１つの後端面１４２ａ，１４４ａ，１４５ａ，１４６ａが背板１４３の外面１４３ａよりも後方に突出しており、ネジ５０、メダル補給穴カバー１１２または電源ユニット１０（コネクタ９４）等の後端が、背板１４３の外面１４３ａよりも後方に突出した端面１４２ａ，１４４ａ，１４５ａ，１４６ａよりも後方に突出していなければ、前記同様にネジ５０、メダル補給穴カバー１１２または電源ユニット１０（コネクタ９４）等に梱包材等が引っ掛かる等して、ネジ５０、メダル補給穴カバー１１２または電源ユニット１０が損傷したり、梱包の妨げとなったりすることを防止できる。
【００５７】
次に、リールユニット１４のバックライト２４０について図１１を参照しながら説明する。リールユニット１４は、外周面に複数種類の図柄が配列されたリール１５ａ〜１５ｃそれぞれを内側から照らす３つのバックライト２４０を備えている。また、各バックライト２４０は、ＬＥＤ（光源）２００が複数実装されたＬＥＤ基板（光源基板）２１０と、リフレクタ（仕切り部材）２２０とを備えている。また、リフレクタ２２０は、リール１５ａ〜１５ｃの周方向に隣り合う３つの部屋２２９を有している。また、各部屋２２９は、リール１５ａ〜１５ｃの径方向内側（ＬＥＤ基板２１０側）から径方向外側（リール１５ａ〜１５ｃの図柄が付されたリールテープ側）に向かうほど開口断面が広くなるように形成されている。また、部屋２２９の底面、つまりリール１５ａ〜１５ｃの径方向内側における部屋２２９の底面は、矩形状に開口しており、この開口にＬＥＤ基板２１０に設けられた複数のＬＥＤ２００が臨んでいる。ここで、ＬＥＤ基板２１０は、リフレクタ２２０の底部、つまりリール１５ａ〜１５ｃの径方向内側におけるリフレクタ２２０の底部に取り付けられている。そして、リフレクタ２２０の隣接する３つの部屋２２９それぞれからの光、すなわちＬＥＤ２００が発せられリフレクタ２２０によって導かれる（区分けされる）光が、停止したリール１５ａ〜１５ｃの上段図柄、中段図柄、下段図柄それぞれを照らすようになっている。
【００５８】
また、ＬＥＤ基板２１０には、当該ＬＥＤ基板２１０に設けられたＬＥＤ２００のそれぞれの近傍に、それぞれのＬＥＤ２００を識別するための識別符号２０５が記されている。以下、第１リール１５ａに設けられたＬＥＤ基板２１０を用いて説明するが、第２リール１５ｂ、第３リール１５ｃのＬＥＤ基板２１０についても同様である。ＬＥＤ基板２１０には、第１リール１５ａの周方向に連続して並ぶ各部屋２２９の底面側開口に臨んで複数のＬＥＤ２００が実装されている。各部屋２２９には２〜９個のＬＥＤ２００が臨んでおり、１枚のＬＥＤ基板２１０には６〜２７個のＬＥＤ２００が実装されている。なお、図１１では、１枚のＬＥＤ基板２１０に９個のＬＥＤ２００が実装されている場合を示しているが、ＬＥＤ２００の個数はこれに限られるものではない。例えば、リフレクタ２２０の各部屋２２９の底面側開口に、それぞれ９個のＬＥＤ２００が臨んでいてもよい。この場合、１枚のＬＥＤ基板２１０に２７個のＬＥＤ２００が設けられる（実装される）ことになる。
【００５９】
１枚のＬＥＤ基板２１０に９個のＬＥＤ２００が実装されている場合には、各ＬＥＤ２００には、１〜９までの通し番号が付与されている。各ＬＥＤ２００の近傍には、識別符号２０５として「ＬＥＤ１」〜「ＬＥＤ９」までの文字がそれぞれ記されている。なお、１枚のＬＥＤ基板２１０にｎ（自然数）個のＬＥＤ２００が実装されている場合には、各ＬＥＤ２００には、１〜ｎまでの通し番号が付与されている。そして、各ＬＥＤ２００の近傍には、識別符号２０５として「ＬＥＤ１」〜「ＬＥＤｎ」までの文字がそれぞれ記されている。
【００６０】
通し番号は、遊技機（ＬＥＤ基板２１０）の設計者によって定められるものであり、例えば９個のＬＥＤ２００のうちの１個のＬＥＤ２００が点灯しなくなった場合等に、当該点灯しなくなったＬＥＤ２００の識別符号２０５を確認することで、点灯しなくなったＬＥＤ２００の通し番号を判別することが可能となり、当該点灯しなくなったＬＥＤ２００の識別符号２０５からＬＥＤ基板２１０の回路図等を辿ることにより、ＬＥＤ基板２１０の故障個所等を解析することが可能となる。
【００６１】
また、識別符号２０５は、リフレクタ２２０がＬＥＤ基板２１０の前面側に配置された状態であっても各ＬＥＤ２００を識別可能な位置に設けられている。すなわち、リフレクタ２２０は、ＬＥＤ基板２１０の前方に、ＬＥＤ基板２１０のＬＥＤ２００が実装された面の少なくとも一部を覆うように配置されているが、リフレクタ２２０の各部屋２２９の底面側開口は、ＬＥＤ基板２１０の表面に臨んでおり、この底面側開口に臨むようにして識別符号２０５がＬＥＤ２００の近傍に記されている。したがって、リフレクタ２２０が配置された状態においても、リフレクタ２２０の底面側開口（部屋２２９）を通して、各ＬＥＤ２００の通し番号が何番なのかがわかるようになっている。このとき、識別符号２０５は、その全体が視認可能となっていなくてもよく、各ＬＥＤ２００を識別可能な状態となっていればよい。例えば、「ＬＥＤ１」〜「ＬＥＤｎ」までの文字のうち、その一部がリフレクタ２２０によって隠されていても、数字部分「１」〜「ｎ」が判別可能な程度に見えていれば、各ＬＥＤ２００を識別することが可能となる。
【００６２】
なお、識別符号２０５としての「ＬＥＤ１」〜「ＬＥＤ９」の文字のうちの数字部分「１」〜「９」は、リフレクタ２２０がＬＥＤ基板２１０の前面側に配置された状態において、正面側から部屋２２９を通してすべて視認可能な状態となっている。したがって、ＬＥＤ基板２１０の前面側に設けられたＬＥＤ２００は全て、識別符号２０５により識別可能な状態となっている。
また、ＬＥＤ基板２１０の前面に設けられた識別符号２０５はすべて、ＬＥＤ２００に対して同じ側（図１１ではＬＥＤ２００の下側）に設けられている。また、識別符号２０５は、すべて標記方向が揃えられている。例えば、図１１に示すように、識別符号２０５はすべて、左から右に読むように記されている。
また、ここではバックライト２４０のリフレクタ２２０およびＬＥＤ基板２１０を例にとって説明したが、演出用の照明装置等の他の照明装置に用いられるリフレクタおよびＬＥＤ基板についても同様に、リフレクタが配設された状態で識別符号２０５を判別可能に構成してもよい。また、ここでは隣接する部屋２２９どうしを仕切り、隣接する部屋２２９からの光を遮る仕切り部材として、光を反射するリフレクタ２２０（例えば、白色の仕切り部材）を用いた場合を例にとって説明したが、リフレクタ２２０の替わりに光を反射しないもの（例えば、黒色の仕切り部材）を用いてもよい。
【００６３】
次に、図１２を用いて、スタートレバーユニット９００について説明する。図１２は、スタートレバーユニット９００の断面図である。スタートレバーユニット９００は、スタートレバー９９０、ハウジング９０１、ホルダ９０２、キャップ９０３、スリーブ９０４、ばね９０５、プッシュナット９０６、マスク９０７およびセンサ９０８等を備えている。なお、図１２は、スタートレバー９９０の非操作時の状態を示している。
【００６４】
スタートレバー９９０は、球状の操作部９９１と、操作部９９１に連結されている棒状のシャフト９９２とを備えている。スタートレバー９９０は、シャフト９９２がスタートレバー９９０の設置面Ｆ（図１参照）に対して垂直となるように配置されている。設置面Ｆは、前後方向に対して垂直な面である。操作部９９１は、例えば、樹脂で形成されている。シャフト９９２は、例えば、ステンレスで形成されている。図１２に示すように、シャフト９９２は、大径部９９３と小径部９９４とを備えており、大径部９９３と小径部９９４との境界となる部分には、段差部９９５が形成されている。段差部９９５は、シャフト９９２の軸方向と垂直な面となっている。
【００６５】
ハウジング９０１は、有底円筒状に形成されている部材であり、例えば、樹脂で形成されている。ハウジング９０１の底部９０１ａには、シャフト９９２の小径部９９４を挿通させるための貫通孔９０１ｂが設けられている。ホルダ９０２は、円筒状に形成された部材であり、例えば、樹脂で形成されている。ホルダ９０２の一端側（前方側）にはハウジング９０１が取り付けられ、ホルダ９０２の他端側（後方側）には後述するキャップ９０３が取り付けられている。ハウジング９０１およびキャップ９０３のホルダ９０２への取り付けは、例えば、爪嵌合である。
【００６６】
シャフト９９２は、小径部９９４が貫通孔９０１ｂに挿し通され、小径部９９４の一部が貫通孔９０１ｂから後方に突出し、当該突出した部分がホルダ９０２の内部に収容されるようになっている。また、このとき、段差部９９５がハウジング９０１の底部９０１ａ（底部９０１ａの前方側の面）と接触するようになっている。小径部９９４のうち、貫通孔９０１ｂから後方に突出している部分には、後述するスリーブ９０４、ばね９０５、およびプッシュナット９０６が挿し通されて取り付けられている。
【００６７】
スリーブ９０４は、ばね９０５の付勢力を受ける受け部材であり、例えば、樹脂で形成されている。スリーブ９０４は、ばね９０５と接触する面とは反対側に、シャフト９９２の軸方向に対して垂直な面となる平面部９０４ａを有している。スリーブ９０４の平面部９０４ａは、底部９０１ａの後方側の面（底部９０１ａの背面部９０１ｃという）と接触するようになっている。ばね９０５は、スプリングであり、例えば、ステンレスで形成されている。プッシュナット９０６は、ばね９０５の付勢力を受ける受け部材であり、例えば、樹脂で形成されている。
【００６８】
図１２に示すように、シャフト９９２には、プッシュナット９０６の抜け止めの役割を担う抜止部９９６が形成されている。抜止部９９６は、小径部９９４の他の箇所より径が大きく形成された部位となっている。プッシュナット９０６の一端が抜止部９９６に当接することによって、スリーブ９０４、ばね９０５およびプッシュナット９０６が、小径部９９４に挿し通された状態で保持されている。
【００６９】
図１２に示す状態では、ばね９０５の付勢力によって、スリーブ９０４の平面部９０４ａと、底部９０１ａの背面部９０１ｃとが面接触するようになっている。これにより、スタートレバー９９０は、シャフト９９２が前後方向に対して水平となる姿勢、すなわち、シャフト９９２が設置面Ｆに対して垂直となる姿勢（中立状態）を保つようになっている。以下、スタートレバー９９０の非操作時における当該姿勢を初期位置という。また、初期位置におけるシャフト９９２の軸を基準軸Ｘとする。スタートレバー９９０が初期位置にある状態では、遊技者は、スタートレバー９９０を全方位に対して傾動させることができるようになっている。
【００７０】
次に、スタートレバー９９０を操作し、傾動させた場合について説明する。図１３は、スタートレバー９９０を下方に傾動させた状態におけるスタートレバーユニット９００の断面図を示している。この状態では、スリーブ９０４における平面部９０４ａの一方側（上方側）が底部９０１ａの背面部９０１ｃに当接しているとともに、平面部９０４ａの他方側（下方側）が底部９０１ａの背面部９０１ｃから離れた状態となっており、かつ、ばね９０５が所定の長さだけ撓んだ状態となっている。また、スタートレバー９９０を傾動させる際における、ばね９０５を撓ませるのに要する力は、スタートレバー９９０を操作するのに必要な力となっている。換言すると、スタートレバー９９０の操作力は、ばね９０５の弾性力によって実現されている。
【００７１】
図１３に示す状態で、遊技者がスタートレバー９９０から指等を離すと、ばね９０５が元に戻る変形をすることに伴い、スリーブ９０４の平面部９０４ａが底部９０１ａの背面部９０１ｃに再び面接触するようになっている。これにより、スタートレバー９９０は、図１２に示す状態（初期位置）に戻るようになっている。
【００７２】
次に、スタートレバー９９０の操作の検出について説明する。なお、下記説明は、スタートレバー９９０の操作の検出の一例を示すものであって、検出方法はこれに限定されるものではなく、他の方法でもよい。図１４（ａ）に示すように、シャフト９９２の小径部９９４の端面は、反射面９９７となっている。反射面９９７は、後述するセンサ９０８から投光された光を反射可能な面となっている。キャップ９０３は、ホルダ９０２の後端側に取り付けられている蓋状の部材であり、樹脂で形成されている。キャップ９０３は、マスク９０７およびセンサ９０８等を保持した状態でホルダ９０２に取り付けられている。
【００７３】
マスク９０７は、初期位置のシャフト９９２と略同軸上となる位置に形成された小径の孔９０７ａを有する板状の部材である。孔９０７ａは、後述するセンサ９０８が投光する光をシャフト９９２側に通すために設けられている。センサ９０８は、初期位置のシャフト９９２と略同軸上となる位置に形成された投受光部（不図示）を備えている。センサ９０８は、例えば、制御部（不図示）からの信号に基づいて投受光部から光を投光するとともに、投光した光の反射光を受光したか否かに基づき、条件に該当する信号を出力するようになっている。
【００７４】
本実施形態では、図１４（ａ）に矢印で示すように、センサ９０８は、反射面９９７で反射された反射光を受光した場合には、スタートレバー９９０が初期位置にあることを示す信号、すなわち、スタートレバー９９０の操作を検出していないことを示す信号（ＯＦＦ信号）を出力するようになっている。また、図１４（ｂ）に矢印で示すように、センサ９０８は、反射面９９７で反射された反射光を受光しない場合には、スタートレバー９９０が初期位置にないことを示す信号、すなわち、スタートレバー９９０の操作を検出したことを示す信号（ＯＮ信号）を出力するようになっている。
【００７５】
次に、図１５および図１６の断面図を用いて、スタートレバー９９０の動作の特性について詳細に説明する。図１５は、所定の機種（第１の機種とする）におけるスタートレバー９９０の動作特性を説明するための断面図である。図１５（ａ）は、スタートレバー９９０が初期位置にある状態を示している。図１５（ｂ）は、スタートレバー９９０が検出位置にある状態を示している。検出位置とは、スタートレバー９９０の操作が検出される位置である。換言すると、検出位置とは、センサ９０８からＯＮ信号が出力された際のスタートレバー９９０の位置である。図１５（ｃ）は、スタートレバー９９０が最大位置にある状態を示している。最大位置とは、スタートレバー９９０における操作部９９１の傾動距離または傾動角度が最大となる位置である。操作部９９１の傾動距離および傾動角度については後述する。スタートレバー９９０の傾動は、スタートレバー９９０の任意の箇所がハウジング９０１、ホルダ９０２等に形成されたメカエンドに当接することによって停止するようになっている。メカエンドの箇所は、１箇所であっても複数箇所であってもよい。スタートレバー９９０がメカエンドに当接したとき、操作部９９１の傾動距離または傾動角度は最大となる、すなわち、スタートレバー９９０の位置は最大位置となる。
【００７６】
次に、操作部９９１の傾動距離について説明する。図１５（ａ）に示すように、操作部９９１におけるシャフト９９２連結側とは反対側の端部の頂点、すなわち、スタートレバー９９０の頂点を頂点Ａとする。操作部９９１の傾動距離とは、スタートレバー９９０の頂点Ａと基準軸Ｘとの間の最小距離である。図１５（ａ）に示す初期位置では、操作部９９１の傾動距離は０ｍｍとなっている。一方、図１５（ｂ）に示す検出位置では、操作部９９１の傾動距離は約４．０ｍｍとなっている。
【００７７】
次に、操作部９９１の傾動角度について説明する。シャフト９９２の軸を軸Ｚとした場合、操作部９９１の傾動角度とは、操作部３９１側において、軸Ｚと基準軸Ｘとがなす角の角度である。図１５（ａ）に示す初期位置では、基準軸Ｘと軸Ｚとが一致しているため操作部９９１の傾動角度は０°となっている。一方、図１５（ｂ）に示す検出位置では、操作部９９１の傾動角度は約３．９°となっている。
【００７８】
図１５（ａ）に示すように、第１の機種では、シャフト９９２の支点（シャフト９９２の回動中心）から頂点Ａまでの距離が６０．２ｍｍとなっている。また、シャフト９９２の支点から反射面９９７までの距離（距離Ｓ）が２１．３ｍｍとなっている。また、反射面９９７と、センサ９０８の投受光面側に配置されているマスク９０７との間の距離が４．２ｍｍとなっている。なお、各寸法は中央値であり、それぞれが所定の公差を有している。
【００７９】
図１５（ｂ）に示すように、スタートレバー９９０を初期位置から検出位置まで傾動させる際における、操作部９９１の傾動距離は約４．０ｍｍであり、操作部９９１の傾動角度は約３．９°となっている。なお、このとき、反射面９９７の中央の点を頂点Ｂとすると、スタートレバー９９０を初期位置から検出位置まで傾動させる際における、反射面９９７における頂点Ｂの傾動距離は、約１．７ｍｍとなっている。
【００８０】
図１５（ｃ）に示すように、スタートレバー９９０を初期位置から最大位置まで傾動させる際における、操作部９９１の傾動距離は約８．４ｍｍであり、操作部９９１の傾動角度は約８．０°となっている。なお、このとき、スタートレバー９９０を初期位置から最大位置まで傾動させる際における、反射面９９７における頂点Ｂの傾動距離は、約２．９ｍｍとなっている。
【００８１】
図１６は、所定の機種（第２の機種とする）におけるスタートレバー９９０の動作特性を説明するための断面図である。図１６（ａ）に示すように、第２の機種では、シャフト９９２の支点から頂点Ａまでの距離が６０．２ｍｍとなっている。また、シャフト９９２の支点から反射面９９７までの距離（距離Ｓ）が３１．３ｍｍとなっている。また、反射面９９７と、センサ９０８の投受光面側に配置されているマスク９０７との間の距離が４．２ｍｍとなっている。なお、各寸法は中央値であり、それぞれが所定の公差を有している。
【００８２】
図１６（ａ）は、スタートレバー９９０が初期位置にある状態を示している。初期位置では、操作部３９１の傾動距離は０ｍｍであり、操作部３９１の傾動角度は０°となっている。
【００８３】
図１６（ｂ）は、スタートレバー９９０が検出位置にある状態を示している。スタートレバー９９０を初期位置から検出位置まで傾動する際における、操作部９９１の傾動距離は約３．６ｍｍであり、操作部９９１の傾動角度は約３．４°である。なお、このとき、スタートレバー９９０を初期位置から検出位置まで傾動する際における、反射面９９７における頂点Ｂの傾動距離は、約１．７ｍｍとなっている。
【００８４】
図１６（ｃ）は、スタートレバー９９０が最大位置にある状態を示している。スタートレバー９９０を初期位置から最大位置まで傾動する際における、操作部９９１の傾動距離は約８．４ｍｍであり、操作部９９１の傾動角度は約８．０°である。なお、このとき、スタートレバー９９０を初期位置から最大位置まで傾動させる際における、反射面９９７における頂点Ｂの傾動距離は、約４．３ｍｍとなっている。
【００８５】
図１７は、機種ごとにおける操作部９９１の傾動距離および傾動角度を示す図である。第１の機種において、初期位置から検出位置までの操作部９９１の傾動距離（約４．０ｍｍ）は、初期位置から最大位置までの操作部９９１の傾動距離（約８．４ｍｍ）の５０％以下の値となっている。また、第１の機種において、初期位置から検出位置までの操作部９９１の傾動角度（約３．９°）は、初期位置から最大位置までの操作部９９１の傾動角度（約８．０°）の５０％以下の値となっている。ただし、初期位置から検出位置までの操作部９９１の傾動距離および傾動角度は、０を超える値となっているものとする。
【００８６】
第２の機種において、初期位置から検出位置までの操作部９９１の傾動距離（約３．６ｍｍ）は、初期位置から最大位置までの操作部９９１の傾動距離（約８．４ｍｍ）の５０％以下の値となっている。また、第２の機種において、初期位置から検出位置までの操作部９９１の傾動角度（約３．４°）は、初期位置から最大位置までの操作部９９１の傾動角度（約８．０°）の５０％以下の値となっている。ただし、初期位置から検出位置までの操作部３９１の傾動距離および傾動角度は、０を超える値となっているものとする。
【００８７】
なお、操作部３９１の傾動距離および傾動角度の値は、ばらつきを有するものであるが、値がばらついた場合であっても、初期位置から検出位置までの操作部９９１の傾動距離および傾動角度は、初期位置から最大位置までの操作部９９１の傾動距離および傾動角度の５０％以下の値となるようになっている。
【００８８】
以上のように、本実施の形態に係る遊技機は、先端側に操作部９９１が形成されたシャフト９９２を有する傾動可能なスタートレバー９９０を備えた遊技機であって、スタートレバー９９０は、非操作時の位置である初期位置から、スタートレバー９９０の操作が検出される位置である検出位置を経由し、初期位置に対するスタートレバー９９０の操作量が最大となる位置である最大位置まで傾動可能となっており、初期位置から検出位置までの操作部９９１の傾動距離または傾動角度は、初期位置から最大位置までの操作部９９１の傾動距離または傾動角度に対して、０を超える値であり、かつ５０％以下の値となっている。このため、スタートレバー９９０の操作部９９１を最大位置まで傾動操作するのに必要な操作量の５０％以下の操作量で、スタートレバー９９０を操作したことが検出されるようになっている。これにより、スタートレバー９９０の操作が検出される感度を向上させることができる。また、スタートレバー９９０のレスポンスが向上した遊技機を提供することができる。また、本実施の形態に係る遊技機によれば、スタートレバー９９０を操作したにも拘わらず傾動不足により操作が検出されず、スタートレバー９９０を再操作しなければならないという煩わしさが解消される。このため、遊技機の遊技性を向上させることができる。
【００８９】
また、検出感度のさらなる向上という観点からは、初期位置から最大位置までの操作部９９１の傾動距離または傾動角度に対する、初期位置から検出位置までの操作部９９１の傾動距離または傾動角度は、５０％未満の値が好ましく、４８％未満の値がより好ましく、４５％未満の値がさらに好ましい。また、初期位置から検出位置までの操作部９９１の傾動距離は、０を超える値であり、かつ公差最大となった場合でも、初期位置から最大位置までの操作部９９１の傾動距離に対して５０％未満の値となることがより好ましい。なお、最大とは、初期位置から検出位置までの操作部９９１の傾動距離が最大となるようにばらつき、かつ初期位置から最大位置までの操作部９９１の傾動距離が最小となるようにばらついた場合を指す。このように、初期位置から検出位置までの傾動距離を初期位置から最大位置までの傾動距離の５０％未満とすることで、初期位置から最大位置までの傾動距離を初期位置から検出位置までの傾動距離の２倍以上とし、スタートレバー９９０の操作の検出感度を向上させるとともに、スタートレバー９９０の操作が検出された後さらにスタートレバー９９０を操作する（傾動させる）ことが可能な範囲を十分に確保することができる。これにより、検出感度の向上と、押しごたえのある操作感の提供との相反する効果を両立させることができる。
【００９０】
また、図１６に示すように、第２の機種は、第１の機種に対し、距離Ｓの寸法のみが大きくなるように変更されたものである。このように、スタートレバー９９０の構成を変更することなく、距離Ｓの寸法のみを大きくすることで、より少ない操作量でスタートレバー９９０の操作が検出されるようになり、スタートレバー９９０のレスポンスが向上する。
【００９１】
また、図１６では、反射面９９７の直径が３．６ｍｍである場合を示したが、当該直径の寸法を小さくすることによっても、スタートレバー９９０の操作が検出される感度を向上させることができる。例えば、図１６（ｂ）において、反射面９９７の直径をさらに小さくした場合、初期位置から検出位置までの操作部９９１の傾動距離を約２．５ｍｍとすることができる。
【００９２】
上記では、初期位置から検出位置までの操作部９９１の傾動距離および傾動角度を、初期位置から最大位置までの操作部９９１の傾動距離および傾動角度の５０％以下の値とする場合について説明した。これに対し、例えば、初期位置から検出位置までの操作部９９１の傾動距離および傾動角度を、初期位置から最大位置までの操作部９９１の傾動距離および傾動角度の２０％〜５０％の値とした場合、上述の効果に加え、スタートレバー９９０の操作の誤検知を抑制することができる。当該誤検知には、例えば、スロットマシンＭにおけるスタートレバー９９０の周辺を叩くことによって発生する振動等に起因するものがある。
【００９３】
次に、スタートレバー９９０、ＭＡＸベットボタン３５、およびストップボタン３３の操作荷重について説明する。以下、スタートレバー９９０を初期位置から検出位置まで傾動させるのに要する操作荷重を、スタートレバー９９０の検出荷重という。また、スタートレバー９９０を初期位置から最大位置まで傾動させるのに要する操作荷重を、スタートレバー９９０の最大荷重という。スタートレバー９９０の検出荷重は、約１．５Ｎとなっている。また、スタートレバー９９０の最大荷重は、約３．０Ｎとなっている。
【００９４】
図１８は、ＭＡＸベットボタン３５の断面図である。ＭＡＸベットボタン３５は、上方から下方に向かって押し込まれるように操作されるボタンである。ＭＡＸベットボタン３５は、押圧部９８１、ばね９８２およびセンサ９８３等を備えている。押圧部９８１は、遊技者の指等によって操作される部品であり、例えば、樹脂で形成されている。ばね９８２は、押圧部９８１を上方に付勢するとともに、押圧部９８１が押し込み操作されると弾性変形し、撓むようになっている。センサ９８３は、例えば、フォトセンサである。センサ９８３は、例えば、押圧部９８１の押し込みによって動く検出物体によって、発光素子から受光素子に向かう光が変化したことを検知すると、ＯＮ信号を出力するようになっている。
【００９５】
ここで、押圧部９８１を押し込み、ばね９８２を弾性変形させ、センサ９８３からＯＮ信号（ＭＡＸベットボタン３５が操作されたことを示す信号）が出力される位置まで押圧部９８１を移動させるのに要する荷重を、ＭＡＸベットボタン３５の検出荷重とする。ＭＡＸベットボタン３５の検出荷重は、約０．８Ｎとなっている。なお、押圧部９８１の初期位置から検出位置までの移動量（ＯＮストローク）は、約１．０ｍｍである。
【００９６】
押圧部９８１は、検出荷重より大きな荷重で操作された場合、ばね９８２を弾性変形させながらさらに押し込まれるようになっている。そして、押圧部９８１は、任意の箇所に設けられているメカストッパー（メカエンド）に当接して、停止するようになっている。ここで、押圧部９８１を押し込み、ばね９８２を弾性変形させ、メカストッパーに当接するまで押圧部９８１を移動させるのに要する荷重を、ＭＡＸベットボタン３５の最大荷重とする。ＭＡＸベットボタン３５の最大荷重は、約１．６Ｎとなっている。なお、押圧部９８１の初期位置からメカストッパーに当接するまでの移動量（フルストローク）は、約２．０ｍｍである。なお、ＭＡＸベットボタン３５のフルストロークを例えば約３．０ｍｍとし、ＯＮストロークを約１．５ｍｍとしてもよい。ただし、ＭＡＸベットボタン３５のフルストロークは、後述するストップボタン３３のフルストローク以上となっていることが好ましい。換言すると、ＭＡＸベットボタン３５の押圧方向における可動範囲は、ストップボタン３３の押圧方向における可動範囲以上となっていることが好ましい。
【００９７】
図１９は、ストップボタン３３の断面図である。ストップボタン３３は、前方から後方に向かって押し込まれるように操作されるボタンである。ストップボタン３３は、押圧部９８４、ばね９８５およびセンサ９８６等を備えている。押圧部９８４、ばね９８５およびセンサ９８６は、図１８に示した押圧部９８１、ばね９８２、センサ９８３と同等の機能を有する構成であるため、重複する説明を省略する。
【００９８】
ストップボタン３３の検出荷重は、約０．７Ｎとなっている。なお、ストップボタン３３のＯＮストロークは、約１．０ｍｍとなっている。また、ストップボタン３３の最大荷重は、約１．４Ｎとなっている。なお、ストップボタン３３のフルストロークは、約２．０ｍｍとなっている。なお、ストップボタン３３のフルストロークは、ＭＡＸベットボタン３５のフルストロークが約３．０ｍｍである場合には、それ以下の例えば約３．０ｍｍとしてもよい。また、この場合にストップボタン３３のＯＮストロークは、ＭＡＸベットボタン３５のＯＮストローク以下の約１．５ｍｍとするとよい。
【００９９】
図２０は、スタートレバー９９０、ＭＡＸベットボタン３５およびストップボタン３３の操作荷重を示す図である。本実施の形態に係る遊技機では、遊技者にとって相対的に好適な操作荷重となるように、各ボタンの操作荷重が設定されている。スタートレバー９９０を、非操作時の位置である初期位置から、操作が検出される位置である検出位置まで移動させるのに必要な操作荷重（スタートレバー９９０の検出荷重：約１．５Ｎ）は、ストップボタン３３を初期位置から検出位置まで移動させるのに必要な操作荷重（ストップボタン３３の検出荷重：約０．７Ｎ）より大きい値となっている。換言すると、スタートレバー９９０を、非操作時の位置である初期位置から、操作が検出される位置である検出位置まで移動させるのに必要な操作荷重である第１検出荷重は、ストップボタン３３を初期位置から検出位置まで移動させるのに必要な操作荷重である第２検出荷重より大きくなっている。また、第２検出荷重は、第１検出荷重の５０％以下であり、第１検出荷重および第２検出荷重は予め設定された変更できない操作荷重となっている。
【０１００】
また、スタートレバー９９０を、非操作時の位置である初期位置から、初期位置に対する操作量が最大となる位置である最大位置まで移動させるのに必要な操作荷重（スタートレバー９９０の最大荷重：約３．０Ｎ）は、ストップボタン３３を初期位置から最大位置まで移動させるのに必要な操作荷重（ストップボタン３３の最大荷重：約１．４Ｎ）より大きい値となっている。換言すると、スタートレバー９９０を、非操作時の位置である初期位置から、初期位置に対する操作量が最大となる位置である最大位置まで移動させるのに必要な操作荷重である第１最大荷重は、ストップボタン３３を初期位置から最大位置まで移動させるのに必要な操作荷重である第２最大荷重より大きくなっている。また、第２最大荷重は、第１最大荷重の５０％以下であり、第１最大荷重および第２最大荷重は予め設定された変更できない操作荷重となっている。
【０１０１】
スタートレバー９９０は、役抽選を実行する際に操作されるものであり、遊技者が期待を込めて力強く操作することがある。このため、ストップボタン３３に比べて重みのある操作感をスタートレバー９９０に持たせることで、押しごたえがあり心地よい操作フィーリングを遊技者に提供することができる。これにより、スタートレバー９９０の操作感が遊技者にとって好適なものとなり、遊技性が向上する。また、ストップボタン３３操作時に、軽くて心地よい操作感を遊技者に提供することができる。
【０１０２】
また、スタートレバー９９０の検出荷重（約１．５Ｎ）は、ＭＡＸベットボタン３５の検出荷重（約０．８Ｎ）より大きい値となっている。また、スタートレバー９９０の最大荷重（約３．０Ｎ）は、ＭＡＸベットボタン３５の最大荷重（約１．６Ｎ）より大きい値となっている。このように、ＭＡＸベットボタン３５に比べて重みのある操作感をスタートレバー９９０に持たせることで、押しごたえがあり心地よい操作フィーリングを遊技者に提供することができる。これにより、スタートレバー９９０の操作感が遊技者にとって好適なものとなり、遊技性が向上する。
【０１０３】
また、図２０に示すように、ストップボタン３３の操作荷重（検出荷重および最大荷重）は、ＭＡＸベットボタン３５の操作荷重（検出荷重および最大荷重）より小さい値となっている。ストップボタン３３は、遊技毎に、回転リールの数に応じて複数個操作しなければならないボタンである。ストップボタン３３の操作荷重が、ＭＡＸベットボタン３５の操作荷重より小さく設定されていることで、遊技者は、ストップボタン３３の操作に関して軽くて心地よい操作フィーリングを得ることができるとともに、テンポよくすべてのストップボタン３３を押下することが可能となる。これにより、遊技者は快適に遊技を行うことが可能となり、遊技性が向上する。また、使用頻度の高いストップボタン３３の操作荷重が小さく設定されていることにより、遊技者の疲労の蓄積が軽減され、遊技性が向上する。
【０１０４】
また、ＭＡＸベットボタン３５は、遊技を開始するための操作に用いられるボタンであり、上から叩くような操作が可能であるため、強い力で操作されることが多いボタンである。ＭＡＸベットボタン３５の操作荷重が、ストップボタン３３の操作荷重より大きく設定されていることで、遊技者は適度に押しごたえのある操作フィーリングを得ることができ、遊技性が向上する。
【０１０５】
また、図１では図示を省略しているが、前扉２０の任意の箇所に演出ボタンを設けてもよい。演出ボタンは、前方から後方に向かって押し込まれるように形成されているボタンである。演出ボタンの操作荷重（検出荷重および最大荷重）は、ストップボタン３３の操作荷重（検出荷重および最大荷重）より大きく、かつＭＡＸベットボタン３５の操作荷重（検出荷重および最大荷重）よりも大きいか、あるいは同等のものとなっている。演出ボタンは、例えば、検出荷重が約３．０Ｎとなっており、最大荷重が約６．０Ｎとなっている。演出ボタンは、ストップボタン３３およびＭＡＸベットボタン３５よりも操作の頻度が低い。また、演出ボタンは、遊技者にとって喜ばしいことを遊技者に報知する場合、遊技者にとって勝負所である場合等に、演出の態様を変化させるための押下操作が有効な状態となるので、気分が高揚した状態の遊技者によって強い力で操作される傾向がある。したがって、演出ボタンの操作荷重が、ストップボタン３３の操作荷重より大きく、かつＭＡＸベットボタン３５の操作荷重以上となるように設定されていることで、遊技者は重くてずっしりとした操作フィーリングを得ることができ、遊技性が向上する。また、演出ボタンは上方から下方に押し込まれるように形成されているボタン（上下方向演出ボタン）であってもよい。上下方向演出ボタンは、操作方向が同じであるＭＡＸベットボタン３５より操作荷重（検出荷重および最大荷重）が小さく設定されており、当該操作荷重は、ストップボタン３３と同等であるか、あるいはストップボタン３３より小さい値となっている。上下方向演出ボタンは、例えば、検出荷重が約０．６Ｎで、最大荷重が約１．２Ｎである。上下方向演出ボタンは、興趣を向上させる契機となる場合に、遊技者によって連打操作されることがあるため、連打が容易となるように操作荷重が小さく設定されている。また、上下方向に対する操作の方が前後方向に比べて連打が容易であるため、上下方向に対して操作されるようになっている。
【０１０６】
本実施の形態に係るスタートレバー９９０は、初期位置から検出位置までの操作部９９１の傾動距離または傾動角度が、初期位置から最大位置までの操作部９９１の傾動距離または傾動角度の５０％以下の値となっている。また、スタートレバー９９０の検出荷重が、最大荷重の５０％以下となっている。このように構成することで、操作が検出される感度を向上させるとともに、操作検出後さらに操作された場合には、押しごたえのある操作感を遊技者に提供することができる。すなわち、検出感度の向上と、押しごたえのある操作感の提供との相反する効果を両立させることができる。これにより、遊技性が向上する。
また、誤検知抑制の観点から、初期位置から検出位置までの操作部９９１の傾動距離および傾動角度を、初期位置から最大位置までの操作部９９１の傾動距離および傾動角度の２０％〜５０％の値とし、スタートレバー９９０の検出荷重を最大荷重の２０％〜５０％の値とすることがより望ましい。また、検出感度をさらに向上させたい場合、初期位置から最大位置までの操作部９９１の傾動距離および傾動角度に対する、初期位置から検出位置までの操作部９９１の傾動距離および傾動角度や、スタートレバー９９０の最大荷重に対する検出荷重を、２０％〜４８％の値としてもよく、さらには２０％〜４５％の値としてもよい。
【０１０７】
また、本実施の形態に係るストップボタン３３は、ＯＮストロークがフルストロークの５０％以下となっており、検出荷重が最大荷重の５０％以下となっている。また、本実施の形態に係るＭＡＸベットボタン３５は、ＯＮストロークがフルストロークの５０％以下となっており、検出荷重が最大荷重の５０％以下となっている。このため、ストップボタン３３およびＭＡＸベットボタン３５においても、操作が検出される感度を向上させるとともに、操作検出後さらに操作された場合には、押しごたえのある操作感を遊技者に提供することができる。これにより、遊技性が向上する。また、誤検知抑制の観点から、ストップボタン３３のＯＮストロークをフルストロークの２０％〜５０％の値とし、ストップボタン３３の検出荷重を最大荷重の２０％〜５０％の値とすることがより望ましい。また、検出感度をさらに向上させたい場合、ストップボタン３３のフルストロークに対するＯＮストロークや、ストップボタン３３の最大荷重に対する検出荷重を、２０％〜４８％の値としてもよく、さらには２０％〜４５％の値としてもよい。また、誤検知抑制の観点から、ＭＡＸベットボタン３５のＯＮストロークをフルストロークの２０％〜５０％の値とし、ＭＡＸベットボタン３５の検出荷重を最大荷重の２０％〜５０％の値とすることがより望ましい。また、検出感度をさらに向上させたい場合、ＭＡＸベットボタン３５のフルストロークに対するＯＮストロークや、ＭＡＸベットボタン３５の最大荷重に対する検出荷重を、２０％〜４８％の値としてもよく、さらには２０％〜４５％の値としてもよい。
【０１０８】
本実施の形態のスロットマシンＸにおいては、遊技に使用可能な正規のメダルは、φ２５（直径約２５ｍｍ）、厚さ約１．６ｍｍのものとする。また、以下の説明において、単に「メダル」と言った場合には、基本的に正規のメダルを意味するものとする。また、他のスロットマシンにおける遊技において使用可能なメダルであって、本実施形態のスロットマシンＸに使用可能な正規のメダルよりも大径のメダルとしては、φ３０（直径約３０ｍｍ）のものを想定する。以下の説明において、「大径メダル」といった場合には、基本的にφ３０、厚さ約１．７ｍｍのメダルを意味するものとする。
なお、本発明において、正規のメダルおよび大径メダルは、それぞれ必ずしもφ２５、φ３０のメダルでなくてもよく、大径メダルが正規のメダルよりも大きいものであれば本発明を適用することが可能である。
【０１０９】
メダル投入口８２１（メダル投入口部）を備えるメダル投入ユニット８００について説明する。メダル投入ユニット８００は、図２１に示すように、メダル投入部８１１と、メダルを選別するセレクタ８１３と、メダル投入部８１１から投入されたメダルをセレクタ８１３へ導くメダル通路８１５と、センサユニット８１７と、Ｒシュート８１９と、を備えている。
メダルは、メダル投入部８１１のメダル投入口８２１から投入され、メダル通路８１５を通過して、セレクタ８１３に到達する。そして、セレクタ８１３では、メダルの選別が行なわれる。具体的には、メダルが正規のメダルの場合には、このメダルはＲシュート８１９に向けて流され、Ｒシュート８１９を通ってホッパーユニット１１に到達する。一方、既定の大きさとは異なる大きさのメダル、例えば規定の大きさのメダルよりも小さいメダルや、不適切なタイミングで投入されたメダルは、非正規のメダルとして、前記メダル払い出し口からメダル受け皿３８に排出されるように導かれる。
【０１１０】
メダル投入部８１１は、メダル投入口８２１と、メダル制止壁８２２（壁部）と、メダルガイド部８２３と、を備えており、金属（例えば、ステンレス鋼等）により一体的に成形されている。メダルガイド部８２３は、メダルをメダル投入口８２１に案内するための部分であり、メダル投入口８２１に向かって前後に延びる断面円弧状の溝となっている。また、メダル制止壁８２２は、メダルガイド部８２３に沿って移動させたメダルを衝突させて、メダルの前後方向への動きを止め、メダルがメダル投入口８２１から投入されるように案内するためのものであり、壁面をメダル投入口８２１側に向けている。また、メダル制止壁８２２は、メダルガイド部８２３の後端からメダル１枚分の厚さよりも僅かに離れて配置されている。メダル投入口８２１は、メダルガイド部８２３と、メダル制止壁８２２との間に形成された左右に長いスリット状の孔（孔部）である。そして、遊技者が、メダルガイド部８２３に沿ってメダルをメダル制止壁８２２側に移動させ、メダルがメダル制止壁８２２に当接した状態でメダルを離すことで、メダルがメダル投入口８２１から投入されるようになっている。このように、メダル制止壁８２２は、遊技者によるメダル投入口８２１へのメダルの投入動作を補助する。
【０１１１】
メダル投入口８２１は、平面視において矩形状となっており、短辺（前後方向）の長さ（奥行）が正規のメダル１枚分の厚さよりも僅かに長くなっているとともに、長辺（左右方向）の長さ（幅）が正規のメダルの直径よりも僅かに長くなっている。また、メダル投入口８２１の短辺の長さは、正規のメダル２枚分の厚さよりも短くなっている。また、メダル投入口８２１は、短辺の長さが、大径メダル１枚分の厚さよりも僅かに長くなっているとともに長辺の長さが大径メダル１枚分の直径よりも短くなっている。また、メダル投入口８２１の短辺の長さは、大径メダル２枚分の厚さよりも短くなっている。換言すると、メダル投入口８２１の幅は、正規のメダルの直径よりも長く、大径メダルの直径よりも短くなっている。具体的には、例えば、約２８ｍｍ〜２９ｍｍとなっている。
【０１１２】
また、メダル制止壁８２２は、メダル投入口８２１から投入されたメダルをメダル通路８１５へと導く投入口側メダル通路８２５の後面を構成している（図３参照）。そして、メダル制止壁８２２の壁面と投入口側メダル通路８２５の後面とは面一となっている。また、メダル制止壁８２２は、その上部がメダル投入口８２１の後部から上方に延出している。また、メダル制止壁８２２の上縁は、メダルガイド部８２３よりも上方に位置しており、正面視において、メダルガイド部８２３の後方にメダル制止壁８２２の壁面が見えるようになっている。また、メダル制止壁８２２の上面（上縁）は、左右方向において、メダル投入口８２１の中央部に対応する部分が上方に凸となる山なり形状となっている。なお、メダル制止壁８２２は、上面（上縁）が平ら（例えば水平面等の左右方向において平らな面）であってもよい。また、メダル制止壁８２２の上面の左右方向における中央部が下方に向けて凹んだ形状等であってもよいが、この場合凹んだ部分以外の部分がメダル制止壁８２２の上端となる。
なお、メダル制止壁８２２の壁面と投入口側メダル通路８２５の後面とは、面一となっていなくてもよく、例えば、メダル制止壁８２２の壁面が投入口側メダル通路８２５の後面よりも後方に位置するように形成されていてもよい。また、メダル制止壁８２２と投入口側メダル通路８２５の後面とが、別部材により形成されていてもよい
【０１１３】
メダル投入口８２１から投入されたメダルは、投入口側メダル通路８２５を通過してメダル通路８１５に至るようになっている。
なお、以下では、メダル通路８１５や投入口側メダル通路８２５等の、メダルが通過する通路について、その断面の長辺方向（メダルの径方向に対応する方向）の長さを「幅」といい、短辺方向（メダルの厚さ方向に対応する方向）の長さを「高さ」ということとする。また、メダルが通過する通路について、メダルの後面（メダル通路８１５を通過するメダルにおける後側を向く面、以下同様）に対向する面を後面といい、メダルの前面（メダル通路８１５を通過するメダルにおける前側を向く面、以下同様）に対向する面を前面といい、メダルの側面に対向する面（通路の前面と後面とをつなぐ面）を側面という。
【０１１４】
投入口側メダル通路８２５は、図２２および図２９に示すように、上方から下方へ向かう直線状となっており、メダルが上方から下方へ向かって真っすぐ流下するようになっている。また、投入口側メダル通路８２５は、上方の入口から下方の出口に向かって、幅が狭くなるとともに、高さが低くなっている。具体的には、投入口側メダル通路８２５の入口は、メダル投入口８２１に相当するので、その幅は前述の通り約２８ｍｍ〜２９ｍｍとなっている。また、投入口側メダル通路８２５の出口の幅は、約２６ｍｍとなっている。なお、投入口側メダル通路８２５は、入口から出口に向かって、ほぼ直線的に幅が狭くなるように形成されていてもよく、入口付近のみ幅が広がっており、他の部分は幅が約２６ｍｍで一定の直線状となっていてもよい。また、投入口側メダル通路８２５の高さは、最も高い部分から最も低い部分までのどの部分においても大径メダル１枚分の厚さよりも長く、正規のメダル２枚分の厚さよりも短くなっている。
【０１１５】
投入口側メダル通路８２５の下部は、メダル投入部８１１の下面から下方に突出する角筒状突出部８２７によって形成されている。また、角筒状突出部８２７の左前側および右後側にはそれぞれ、メダル投入部８１１の下面から下方に突出するボス８２８，８２８が、設けられている。また、ボス８２８，８２８は、ネジ孔を有している。また、角筒状突出部８２７の下端面の右前部分から下方に突出するようにして、矩形の板状の係止片８２９が設けられている。
【０１１６】
メダル通路８１５は、レール後部材８３０とレール前部材８３１とにより形成されている（図２１、図２６、図２９参照）。レール後部材８３０は、メダル通路８１５の後面および両側面を構成している。また、レール前部材８３１は、メダル通路８１５の前面を構成している。
【０１１７】
メダル通路８１５は、入口が上方を向くとともに、出口が下方を向いた状態となっている。また、メダル通路８１５は、図２３に示すように、入口から入ってきたメダルを、下方に向かうにつれ左方に向かうように導く第一曲部８１５ａと、第一曲部８１５ａから出てきたメダルを左方に向かうにつれ下方に向かうように導く第二曲部８１５ｂと、第二曲部８１５ｂから出てきたメダルを下方に導く直線部８１５ｃと、を備えている。そして、これによりメダル通路８１５はクランク形状となっている。また、メダル通路８１５の入口と出口とは、メダル通路８１５の左右方向において、メダル１枚分以上ずれて配置されている。そして、メダル通路８１５がクランク形状となっていることにより、メダル投入口８２１からメダル通路８１５の深部やセレクタ８１３まで異物が挿入されゴト行為が行われることが防がれている。
【０１１８】
レール前部材８３１は、透明な合成樹脂により成形されている。レール前部材８３１は、図２５および図２６に示すように、板状であり、正面視において、その外形がレール後部材８３０の外形と略一致するようになっている。また、レール前部材８３１の上端部左側には、前方に突出する突出部８３５が設けられている。突出部８３５は、前方から後方に向けて切り欠いた切欠き部を備えており、この切欠き部が、下方から上方に向けてネジを挿通させるネジ挿通部８３５ａとなっている。また、レール前部材８３１の上端部右側には、前方から後方に向けて断面矩形状に切り欠いた切欠き部８３６が形成されている。また、レール前部材８３１の下端部の左右両端部にはそれぞれ、ネジを挿通させるためのネジ挿通孔８３７，８３７および後方に向けて突出する突起部８３８，８３８が設けられている。また、レール前部材８３１の背面は、平面状となっている。
【０１１９】
レール後部材８３０は、図２３および図２４に示すように、メダル通路８１５の後面を形成する背板８４０と、メダル通路８１５の右側面を形成する右側壁８４１と、メダル通路８１５の左側面を形成する左側壁８４２と、右側壁８４１または左側壁８４２の下端部から左右方向外側に突出するフランジ部８４４，８４４と、を備えている。また、レール後部材８３０は、金属（例えば、ステンレス鋼等）により一体的に成形されている。背板８４０は、板状であり、板面を前後方向に向けた状態となっている。また、背板８４０は、正面視において、前述のメダル通路８１５の形状（第一曲部８１５ａ、第二曲部８１５ｂ、直線部８１５ｃ）に沿った形状となっている。また、右側壁８４１および左側壁８４２は、背板８４０の右端縁または左端縁に沿って前方に突出するように形成されている。また、フランジ部８４４，８４４は、右側壁８４１または左側壁８４２の下端部と一体的に形成されている。また、フランジ部８４４，８４４の前面、右側壁８４１の前端面および左側壁８４２の前端面は、面一となっている。また、左右のフランジ部８４４，８４４それぞれには、ネジを挿通するためのネジ挿通孔８４５，８４５およびレール前部材８３１の突起部８３８が挿入される突起部挿入孔８４６，８４６が設けられている。
【０１２０】
レール後部材８３０とレール前部材８３１とは、レール前部材８３１の背面が、レール後部材８３０のフランジ部８４４，８４４の前面、右側壁８４１の前端面および左側壁８４２の前端面と当接するとともに、突起部８３８，８３８が突起部挿入孔８４６，８４６に挿入された状態で、後述するネジ止めにより一体化されている。そして、レール後部材８３０の背板８４０と、右側壁８４１と、左側壁８４２と、レール前部材８３１とに囲われた空間としてのメダル通路８１５が形成されている。
【０１２１】
また、背板８４０の両側部には、前方に突出する凸部８５０，８５０がメダル通路８１５の延在方向に沿って形成されている。そして、メダル通路８１５を流下するメダルは、左右の凸部８５０，８５０両方に常に接触可能な状態でメダル通路８１５を流下するようになっている。換言すると、メダル通路８１５を流下するメダルは、左右の凸部８５０，８５０の間に形成された凹部には、接触しないようになっている。
【０１２２】
また、レール後部材８３０の背板８４０には、左右に長い矩形状の開口８６０が設けられている。また、レール後部材８３０の背板８４０の背面であって、開口８６０の上方位置には、後方に突出するボス８６４が設けられている。また、ボス８６４は、ネジ孔を有している。また、背板８４０の背面上端部の右側には、後方に突出する突出部８６６が設けられている。突出部８６６は、後方から前方に向けて切り欠いた切欠き部を備えており、この切欠き部が、下方から上方に向けてネジを挿通させるネジ挿通部８６６ａとなっている。また、レール後部材８３０の左側壁８４２の上端部には、平面視Ｌ字状の係止部８６８が、前方に突出して設けられている。
【０１２３】
レール後部材８３０およびレール前部材８３１は、図２６に示すように、レール後部材８３０のネジ挿通部８６６ａに挿通されたネジと、レール前部材８３１のネジ挿通部８３５ａに挿通されたネジとが、メダル投入部８１１の２つのボス８２８，８２８それぞれのネジ孔にねじ込まれることにより、メダル投入部８１１と一体化されている。また、レール後部材８３０の係止部８６８が、メダル投入部８１１の角筒状突出部８２７の側面に係止されるとともに、メダル投入部８１１の係止片８２９が、レール前部材８３１の切欠き部８３６に係止されることにより、メダル投入部８１１に対するレール後部材８３０およびレール前部材８３１の位置決めがされている。また、レール後部材８３０およびレール前部材８３１の上端面は、メダル投入部８１１の角筒状突出部８２７の下端面に当接している。そして、これにより、投入口側メダル通路８２５とメダル通路８１５とが連通した状態となっている。
なお、レール後部材８３０およびレール前部材８３１の上端面と、メダル投入部８１１の下端面とは、必ずしも当接している必要はなく、両端面の間に、所定の隙間が設けられ、両端面が近接した状態となっていてもよい。
【０１２４】
投入口側メダル通路８２５の出口からメダル制止壁８２２の上端までの長さは、メダル１枚の直径（２５ｍｍ）よりも短くなっている。換言すると、メダル投入部８１１に形成された投入口側メダル通路８２５と他部材により形成されるメダル通路８１５との境目からメダル制止壁８２２の上端までの長さは、メダル１枚の直径よりも短くなっている。すなわち、本実施の形態の遊技機においては、メダル通路８１５と投入口側メダル通路８２５とのつなぎ目にメダルが引っかかることはないようにされているが、仮に当該つなぎ目にメダルが引っかかりうる構成であったとしても、当該つなぎ目にメダルが引っかかった場合に、メダルの上端がメダル制止壁８２２の上縁よりも上側に位置し、遊技者がメダルの後面に触れることが可能となるようになっている。これにより、メダルが引っかかった場合に、メダルを掴んで容易に引き抜くことができるようになっている。
なお、メダル通路８１５の後面または前面は、必ずしもメダル投入部８１１と別部材によって形成されていなくてもよい。すなわち、例えば、レール後部材８３０あるいは、レール前部材８３１がメダル投入部８１１と一体的に形成されており、これにカバー部材としてのレール前部材８３１あるいはレール後部材８３０を取り付けることでメダル通路８１５が形成されるようになっていてもよい。また、メダル通路８１５（レール後部材８３０およびレール前部材８３１）が存在せず、投入口側メダル通路８２５が直接セレクタ８１３に繋がっていてもよい。また、メダル投入部８１１は、一体的に形成されていなくてもよい。例えば、投入口側メダル通路８２５の後面およびメダル制止壁８２２を構成する略板状の部材と、投入口側メダル通路８２５の前面を構成する部材とによって構成されていてもよい。
【０１２５】
センサユニット８１７は、図２３および図２４に示すように、センサ８８０と、可動片８８１（可動部材）とを備えている（図２１参照）。センサ８８０は、フォトインタラプタを主要素とする電子回路である。センサ８８０は、可動片８８１の動作を検知し、検知信号を出力するようになっている。
【０１２６】
可動片８８１は、メダルが接触するメダル接触部８８２を備えており、黒色の合成樹脂により成形されている。センサ８８０は、レール後部材８３０にネジ止めにより固定されており、開口８６０から可動片８８１のメダル接触部８８２がメダル通路８１５に突出するように、可動片８８１がバネ（弾性部材）により付勢されている。そして、可動片８８１は、メダル通路８１５をメダル等が通る際に、メダル接触部８８２に接触する当該メダル等によって押下されるとともに、当該メダル等による押下が解除されると、バネの付勢力によってメダル接触部８８２がメダル通路８１５に突出した状態に戻るようになっている。また、可動片８８１は、後方に突出する遮光板を備えており、可動片８８１が押下されると当該遮光板の動きをセンサ８８０が検知し、可動片８８１が押下されたことを示す前記検知信号をセンサ８８０が発するようになっている。
【０１２７】
なお、センサ８８０からの検知信号は、センサ８８０に接続された配線を介して上述の基板ユニット（メイン制御基板）に送られるようになっている。そして、基板ユニットは、所定時間（例えば、１秒程度）連続して検知信号が送られてきた場合に、ゴト行為が行われているおそれがあると判断し、スピーカー等を介して音を発したりして異常を報知するようになっている。なお、センサユニット８１７は、ゴト行為等の異常を検知するものではなく、例えば、メダル通路８１５を通過するメダルの枚数をカウントするもの等であってもよい。また、センサ８８０は、可動片８８１の動作を検知できるものであれば、フォトインタラプタ以外のセンサを用いてもよい。
【０１２８】
レール後部材８３０とレール前部材８３１とセレクタ８１３とは、図２７に示すように、レール後部材８３０のネジ挿通孔８４５，８４５およびレール前部材８３１のネジ挿通孔８３７，８３７に挿通されたネジ８８３，８８３がセレクタ上部に設けられたネジ孔（図示せず）にねじ込まれることで、一体化されている。
【０１２９】
セレクタ８１３は、メダルを選別するメダル選別部８８５と、このメダル選別部８８５へとメダルを導くセレクタ側メダル通路８８６とを備えている。セレクタ側メダル通路８８６は、メダルが通過する通路である。セレクタ側メダル通路８８６は、高さ方向（メダルの厚さ方向）に湾曲した通路となっているが、入口部分のみ高さが僅かに高くなっており、入口部分を除く通路の略全体において高さが一定となっている。また、セレクタ側メダル通路８８６は、どの部分においても高さがメダル２枚分の厚さ未満となっている。また、セレクタ側メダル通路８８６の高さは、連通するメダル通路８１５の高さよりも高くなっている。具体的には、メダル通路８１５の高さが約２．３ｍｍなのに対し、セレクタ側メダル通路８８６の高さは、約３．１ｍｍとなっている。また、セレクタ側メダル通路８８６の幅は、どの部分においても、正規のメダルの直径よりも僅かに長い程度となっており、大径メダルの直径よりも短くなっている。換言するとセレクタ側メダル通路８８６は、大径メダルが流下不可能な幅となっている。すなわち、セレクタ８１３は、大径メダルを選別して弾くことができないようになっている。
【０１３０】
メダル選別部８８５は、メダル選別機構８８８と、このメダル選別機構８８８の後側に配置されたメダル排出部８８９とを備えている。メダル選別機構８８８は、既定のメダルであって、適切なタイミングで投入されたメダルを、メダル排出部８８９から落ちないように支持し、ホッパーユニット１１に向けて導くようになっている。一方、メダル選別機構８８８は、既定の大きさとは異なる大きさのメダルや、不適切なタイミングで投入されたメダル等の非正規のメダルを、メダル排出部８８９に向けて落とすようになっている。そして、メダル排出部８８９から落とされたメダルは、前記メダル払い出し口からメダル受け皿３８に排出されるようになっている。なお、このようにメダルを選別する機構は、従来のセレクタのものを用いればよい。
【０１３１】
次に本実施の形態の遊技機において、メダル投入口８２１にφ３０の大径メダルＭが投入された場合について図２８および図２９を参照しながら説明する。なお、図２９は、図２８のＡ−Ａ線断面図にレール後部材８３０およびレール前部材８３１を加えて示した図である。
メダル投入口８２１の開口幅は、大径メダルＭの直径よりも短くなっているので、大径メダルＭは、メダル投入口８２１に引っ掛かる。具体的には、大径メダルＭ側面の下側部分の左右両端（図２８に点Ｐ、Ｑで示す部分）が、メダル投入口８２１の縁（短辺）に当接することで、大径メダルＭがメダル投入口８２１に引っ掛かるようになっている。換言すると、メダル投入口８２１は、セレクタ８１３で選別不可能なサイズのメダルが引っ掛かって、遊技機内部に流れないサイズに形成されている。
【０１３２】
また、本実施形態の遊技機においては、メダル投入口８２１に掛かった状態の大径メダルＭは、図２８の点Ｐおよび点Ｑで示す部分の近傍において、その前面が投入口側メダル通路８２５の前面に当接可能となっている。すなわち、大径メダルＭは、その側面が点Ｐおよび点Ｑにおいてメダル投入口８２１部に当接するとともに、その前面が当該点Ｐおよび点Ｑの近傍においてメダル投入口８２１部に当接可能となっている。換言すると、大径メダルＭは左右に離間した（メダルの面方向に離間した）２箇所において、その側面がメダル投入口８２１部に当接するとともに、当該２箇所それぞれの近傍において（メダルの面方向に離間した２点において）その前面がメダル投入口８２１部に当接した状態、あるいは近接し当接可能な状態となっている。さらに換言すると、大径メダルＭは、左右に離間した２箇所が、メダル投入口８２１部の左右それぞれに離間して形成された上方視コ字状の切欠き部に挿入された状態となっている。また、当該２箇所は、そして、メダル投入口８２１に掛かった大径メダルＭ２は、図２９に示すように、前方に倒れそうになった場合にその前面が点Ｐおよび点Ｑの近傍においてメダル投入口８２１部（投入口側メダル通路８２５の前面）に当接し、これにより大径メダルＭ２が前方に倒れることが防がれ、大径メダルＭ２は、前傾した状態でメダル投入口８２１部に掛かった状態が維持されるようになっている。なお、メダル投入口８２１部は、このように前傾した大径メダルＭ２の、前面における点Ｐおよび点Ｑの近傍部分以外の部分にも同時に当接し得るように形成されていてもよい。メダル投入口８２１部は、大径メダルＭ２の前面の２箇所以上の部分が当接し得るように形成されていてもよい。また、メダル投入口８２１部に当接する当該２箇所は、大径メダルＭ２の中心よりも下側部分の左右両端部となっている。
このように、メダル投入口８２１部は、メダル投入口８２１部に掛かった状態におけるφ３０のメダルの、前面における上下方向に交差（直交）する方向に離間した２箇所が当接し得るように形成されているが、当然、当該２箇所は上下方向に交差する方向に離間していれば、互いに上下方向にも離間していてもよい（上下方向にずれていてもよい）。また、当該２箇所は、互いに略水平（上下方向へのずれがφ３０のメダルの直径の１０％以内（３ｍｍ以内））な位置関係となっていてもよい。
【０１３３】
また、大径メダルＭは、メダル投入口８２１に掛かった状態において、その下端部がメダル投入口８２１に挿入されており、大径メダルＭの前面の下端は、メダル投入口８２１の前縁よりも下方に位置している。換言すると、大径メダルＭの前面の下端は、投入口側メダル通路８２５の前面の上端縁よりも下方に位置しており、大径メダルＭの前面の下端部は、投入口側メダル通路８２５の前面に覆われた状態となっている。具体的には、大径メダルＭの下端からメダル投入口８２１の前縁（メダルガイド部８２３）までの距離Ｔ１が、１．５ｍｍ以上となっており、大径メダルＭの前面の下端は、メダル投入口８２１の前縁よりも１．５ｍｍ以上下方に位置している。そして、大径メダルＭの下端から１．５ｍｍの領域は、投入口側メダル通路８２５の前面に覆われた状態となっている。
このように、大径メダルＭの下端部がメダル投入口８２１に挿入されるようになっていることにより、メダル投入口８２１に掛かった状態の大径メダルＭが倒れることが防がれ、当該大径メダルＭが安定的に支えられるようになっている。なお、上述の例ではＴ１は、１．５ｍｍ以上としたが、０．５ｍｍ以上、５．０ｍｍ以下であることが好ましい。
【０１３４】
このように、メダル投入口８２１に大径メダルＭの下端部が挿入されることで、大径メダルＭは起立した状態でメダル投入口８２１に引っ掛かるようになっている。換言すると、大径メダルＭは、その両面を前後方向に向けた状態でメダル投入口８２１に掛かるようになっている。また、このとき、大径メダルＭの後面は、メダル制止壁８２２に近接または当接した状態となる。
【０１３５】
また、図２８に示すように、大径メダルＭは、メダル投入口８２１に掛かった状態において、その前面の上下方向中心よりも下側の部分の一部がメダル投入口８２１を形成する部材に覆われるようになっている。換言すると、メダルガイド部８２３は、メダル投入口８２１に掛かった大径メダルＭの上下方向中心よりも下方に位置するようになっている。そして、メダル投入口８２１に掛かった大径メダルＭを正面から（大径メダルＭの面に垂直な方向から）見たときに、大径メダルＭは、その上下方向中心よりも下側の部分の一部が覆い隠され、上下方向中心よりも上側の部分は覆い隠されないようになっている。
【０１３６】
また、メダルガイド部８２３は、その後端部における曲率が、大径メダルＭの曲率以上となっている。したがって、下端部がメダル投入口８２１に挿入された大径メダルＭは、前面側の下端部が、大径メダルＭの周方向に沿ってしっかりと支えられ、安定した状態でメダル投入口８２１に引っ掛かるようになっている。
【０１３７】
また、大径メダルＭは、メダル投入口８２１に掛かった状態において、その下端が、投入口側メダル通路８２５の下端よりも上方に位置するようになっている。すなわち、大径メダルＭの下端は、メダル投入部８１１に形成された投入口側メダル通路８２５と、これに続くメダル通路８１５との境目（接続部）まで届かないようになっている。換言すると、メダル投入口８２１および投入口側メダル通路８２５（第一のメダル通路）は、メダル投入部８１１（第一の部材）によって形成されており、メダル通路８１５（第二のメダル通路）は、メダル投入部８１１とは別体のレール後部材８３０およびレール前部材８３１（第二の部材）によって形成されており、メダル通路８１５は、メダル投入口８２１に掛かった大径メダルＭの下端が届かない位置に配置されている。さらに換言すると、メダル投入口８２１に掛かった大径メダルの下端は、レール後部材８３０およびレール前部材８３１に当たらないようになっている。このように、大径メダルＭが、投入口側メダル通路８２５を形成する第一の部材としてのメダル投入部８１１とは別体の部材を含む１以上の部材によって形成されるメダル通路８１５まで届かないようになっていることにより、大径メダルＭがメダル投入口８２１に投入された際に、大径メダルＭがメダル通路８１５を形成する部材に当たって浮いた状態となってしまうことが無く、確実にメダル投入口８２１の縁に引っ掛かるようになる。したがって、誤ってあるいは故意に投入された大径メダルＭが安定的に支持されるため、大径メダルの取り出しが容易となる。
なお、前述のように、メダル通路８１５は、その一部が投入口側メダル通路８２５を形成する部材（メダル投入部８１１）によって形成されていてもよい。すなわち、メダル通路８１５は、投入口側メダル通路８２５を形成する部材とは別体の部材のみによって形成されていなくてもよい。また、メダル通路８１５（レール後部材８３０およびレール前部材８３１）が存在せず、投入口側メダル通路８２５が直接セレクタ側メダル通路８８６に繋がっていてもよい。いずれにせよ、投入口側メダル通路８２５を形成するメダル投入部８１１とは別体の部材を含む１以上の部材によって形成され、投入口側メダル通路８２５に続く第二のメダル通路（メダル通路８１５または投入口側メダル通路８２５）がある場合に、メダル投入口８２１に掛かった大径メダルＭが、当該第二のメダル通路に届かないよう（第二のメダル通路を構成する部材に当たらないように）になっていることが好ましい。
【０１３８】
また、大径メダルＭは、メダル投入口８２１に掛かった状態において、その下端が、センサ８８０や、セレクタ８１３の備えるセンサ等のメダルを検知するセンサよりも上方に位置するようになっており、大径メダルＭがこれらのセンサまで届かないようになっている。したがって、大径メダルＭが誤って投入され、メダル投入口８２１に掛かった際に、センサ８８０が反応してしまいゴト行為が行われていると誤って判断してしまったり、メダルが投入されたと誤って判断してしまったりすることを防ぐことができる。
【０１３９】
前述のように、メダル制止壁８２２は、メダル投入口８２１の後部から上方に延出している。したがって、大径メダルＭは、メダル投入口８２１に掛かった状態において、その後面の少なくとも一部がメダル制止壁８２２に覆われた状態となる。また、メダル制止壁８２２の上端は、メダル投入口８２１に掛かった状態の大径メダルＭの後面の中心（上下方向における中心：図２８に一点鎖線Ｃで図示）よりも上方に位置するように形成されている。換言すると、本実施形態の遊技機においては、メダル制止壁８２２は、大径メダルＭの後面の下端から１５ｍｍ以上の領域を覆うようになっている。このように、メダル制止壁８２２の上端が、大径メダルＭの上下方向における中心よりも上方に位置するように形成されていることにより、大径メダルＭが後方に傾きそうになった場合に、当該大径メダルＭの上下方向中心よりも上方がメダル制止壁８２２によって支えられるため、大径メダルＭが後方に倒れることが防がれ、大径メダルＭが安定的に支えられる。したがって、大径メダルＭの姿勢が安定し、大径メダルＭの取出しが容易となる。
なお、メダル制止壁８２２の上端が、大径メダルＭの後面の中心よりも厳密に上方に位置するように形成されていなくてもよい。すなわち、例えば、メダル制止壁８２２の上端の上下方向における位置が、大径メダルＭの上下方向における中心から±１．５ｍｍ以内の位置となるように形成されていてもよい。換言すると、メダル制止壁８２２の上端の上下方向における位置が、大径メダルＭの上下方向における中心部の位置となるように形成されていてもよい。このような構成であっても、大径メダルＭの姿勢を安定させることができる。
【０１４０】
また、メダル制止壁８２２は、大径メダルＭがメダル投入口８２１に掛かった状態において、メダル制止壁８２２の上端が大径メダルＭの上端よりも下方に位置するように形成されている。これにより、当該状態において、遊技者が大径Ｍメダルの後面に触れることが可能となっている。換言すると、大径メダルＭは、メダル投入口８２１に掛かった状態において、メダル制止壁８２２の裏側から見た場合に、大径メダルＭの後面の一部が露出した状態となっている。このように、大径メダルＭの後面に触れることが可能となっていることにより、メダル投入口８２１に掛かった大径メダルＭの前面と後面とに触れ、大径メダルＭをつまむことができ、容易に取り出すことができる。なお、大径メダルＭの後面に少しでも触れることが可能となっていれば、大径メダルＭをつまむことができるため、メダル制止壁８２２の上端は、必ずしもメダル投入口８２１に掛かった大径メダルＭの上端よりも下方に位置するように形成されていなくてもよい。しかし、メダル投入口８２１に掛かった状態の大径メダルＭの上端の、メダル制止壁８２２の上端からの突出量Ｔ２が、３ｍｍ以上となっていることが好ましく、６ｍｍ以上となっていることがさらに好ましい。このような構成によれば、大径メダルＭをつまむことが容易となり、より簡単に大径メダルＭを取り出すことができるようになる。
なお、大径メダルＭの上端とメダル制止壁８２２の上端との左右方向における位置は、一致していなくてもよい。また、大径メダルＭの下端と、メダルガイド部８２３の後端部における下端（溝の最底部）との左右方向における位置は、一致していなくてもよい。
【０１４１】
また、メダル制止壁８２２の後方には、メダル１枚の厚さ分（１．６ｍｍ）の奥行（前後方向の幅）を最低限有する空間が形成されている。すなわち、メダル制止壁８２２とパネル４との間には、メダル１枚の厚さ分以上の間隔が設けられている。したがって、メダル投入口８２１に掛かった大径メダルＭを前後からつまんで取り出すことが容易となる。なお、メダル制止壁８２２とパネル４との間に、メダル３枚の厚さ分（４．８ｍｍ）以上の間隔が設けられていると、より好ましい。また、メダル制止壁８２２の後方にメダル１枚の厚さ分の間隔を設けない場合であっても、メダル制止壁８２２の前面とパネル４との間に、メダル２〜４枚の厚さ分（３．２〜６．４ｍｍ）以上の間隔を設けることが望ましい。
【符号の説明】
【０１４２】
１  筐体（遊技機筐体）
２  天板
３  背板
４  底板
５，６  側板
５０（５０ａ，５０ｂ，５０ｃ，５０ｄ，５０ｅ）  ネジ
１４１  筐体
１４２  天板
１４３  背板
１４４  底板
１４５，１４６  側板
【図１】
2020137795.tif 000003
【図２】
2020137795.tif 000004
【図３】
2020137795.tif 000005
【図４】
2020137795.tif 000006
【図５】
2020137795.tif 000007
【図６】
2020137795.tif 000008
【図７】
2020137795.tif 000009
【図８】
2020137795.tif 000010
【図９】
2020137795.tif 000011
【図１０】
2020137795.tif 000012
【図１１】
2020137795.tif 000013
【図１２】
2020137795.tif 000014
【図１３】
2020137795.tif 000015
【図１４】
2020137795.tif 000016
【図１５】
2020137795.tif 000017
【図１６】
2020137795.tif 000018
【図１７】
2020137795.tif 000019
【図１８】
2020137795.tif 000020
【図１９】
2020137795.tif 000021
【図２０】
2020137795.tif 000022
【図２１】
2020137795.tif 000023
【図２２】
2020137795.tif 000024
【図２３】
2020137795.tif 000025
【図２４】
2020137795.tif 000026
【図２５】
2020137795.tif 000027
【図２６】
2020137795.tif 000028
【図２７】
2020137795.tif 000029
【図２８】
2020137795.tif 000030
【図２９】
2020137795.tif 000031